(57)【要約】  本発明は、信号処理方法、装置、及びシステムを開示する。Ｍ個のユーザ機器において、ユーザ機器ｉのアクティブセットＫｉ及び干渉セットＫ’ｉが、ユーザ機器ｉからＮ個のサイトまでの電力測定値に従って決定され、ユーザ機器ｉのアクティブセットＫｉについて、重みの１つの制約条件を獲得するために、すべてのアクティブサイトｋｉのすべての他のユーザ機器ｊの送信信号の重ね合わせが、互いに相殺され、Ｍ個のユーザ機器について、Ｍ個の制約条件が、獲得され、重み部分空間Ｔが、決定され、各ユーザ機器のアクティブセット内のいずれのアクティブサイトも、１つの加重値を決定し、対応するアクティブサイトが信号をＭ個のユーザ機器に送信するために使用する重みとして、加重値を使用するように、ユーザ機器ｉの干渉セットＫ’ｉ内での別のユーザ機器ｊのユーザ機器ｉに対する干渉信号、及びユーザ機器ｉのアクティブセットＫｉ内でのユーザ機器ｉの所望の信号に従って、１つの重みが、重み部分空間内で決定される。ユーザ機器のサービス品質は、改善されることができる。
2017522753.tif 000002
【特許請求の範囲】
【請求項１】
Ｍ個のユーザ機器において、ユーザ機器ｉのアクティブセットＫｉ及び干渉セットＫ’ｉを、前記ユーザ機器ｉからＮ個のサイトまでの電力測定値に従って決定するステップであって、前記ユーザ機器ｉの前記アクティブセットＫｉは、所望の信号を前記ユーザ機器ｉに提供するアクティブサイトの識別子ｋｉを含み、前記ユーザ機器ｉの前記干渉セットＫ’ｉは、干渉信号を前記ユーザ機器に提供する干渉サイトの識別子ｋ’ｉを含み、ｋｉ∈Ｋｉ、ｋ’ｉ∈Ｋ’ｉ、ｉ＝１，２，．．．Ｍであり、Ｍは、１以上の整数であり、Ｎは、１以上の整数である、ステップと、
前記ユーザ機器ｉの前記アクティブセットＫｉについて、重みの１つの制約条件を獲得するために、すべてのアクティブサイトｋｉのすべての他のユーザ機器ｊの送信信号の重ね合わせを互いに相殺させ、前記Ｍ個のユーザ機器について、Ｍ個の制約条件を獲得し、重み部分空間Ｔを決定するステップであって、前記重み部分空間は、Ｍ個の重みを含み、ｊは、前記Ｍ個のユーザ機器のうちの前記ユーザ機器ｉ以外の別のユーザ機器を表し、ｊ＝１，２，．．．Ｍ、ｊ≠ｉである、ステップと、
各ユーザ機器のアクティブセット内のいずれのアクティブサイトも、１つの加重値を決定し、対応するアクティブサイトが信号を前記Ｍ個のユーザ機器に送信するために使用する重みとして、前記加重値を使用するように、前記ユーザ機器ｉの前記干渉セットＫ’ｉ内での別のユーザ機器ｊの前記ユーザ機器ｉに対する干渉信号、及び前記ユーザ機器ｉの前記アクティブセットＫｉ内での前記ユーザ機器ｉの所望の信号に従って、前記重み部分空間内で１つの重みを決定するステップと、
を含む信号処理方法。
【請求項２】
Ｍ個のユーザ機器において、ユーザ機器ｉのアクティブセットＫｉ及び干渉セットＫ’ｉを、前記ユーザ機器ｉからＮ個のサイトまでの電力測定値に従って決定する前記ステップは、
前記Ｍ個のユーザ機器において、前記ユーザ機器ｉから前記Ｎ個のサイトまでの前記電力測定値に従って、前記ユーザ機器ｉからサイトｋまでの電力測定値が、事前設定されたアクティブ化閾値以上である場合、前記サイトｋを前記ユーザ機器ｉのアクティブサイトｋｉとして決定し、前記サイトｋを前記ユーザ機器ｉの前記アクティブセットＫｉに追加するステップであって、ｋ＝１，２，．．．Ｎ、ｋｉ＝１，２，．．．Ｎである、ステップ、又は
前記ユーザ機器ｉからサイトｋまでの電力測定値が、事前設定されたアクティブ化閾値よりも小さく、事前設定された干渉閾値以上である場合、前記サイトｋを前記ユーザ機器ｉの干渉サイトｋ’ｉとして決定し、前記サイトｋを前記ユーザ機器ｉの前記干渉セットＫ’ｉに追加するステップ、
を含む、請求項１に記載の方法。
【請求項３】
前記ユーザ機器ｉの前記アクティブセットＫｉについて、すべての前記アクティブサイトｋｉのすべての前記他のユーザ機器ｊの前記送信信号の前記重ね合わせを互いに相殺させることによって獲得される、前記重みの前記制約条件は、
（外１６１）
2017522753.tif 000167
ここで、ｉ＝１，２，．．．Ｍ、ｊ＝１，２，．．．Ｍ、ｊ≠ｉ
であり、
ｉは、前記ユーザ機器ｉの識別子であり、ｋｉは、前記ユーザ機器ｉの前記アクティブセット内のアクティブサイトの識別子であり、
（外１６２）
2017522753.tif 000168
は、前記ユーザ機器ｉから前記アクティブサイトｋｉまでのチャネル測定値であり、
（外１６３）
2017522753.tif 000169
は、１又は０に等しく、前記ユーザ機器ｉの前記アクティブサイトｋｉが、別のユーザ機器ｊのアクティブサイトである場合、
（外１６４）
2017522753.tif 000170
は、１に等しく、前記ユーザ機器ｉの前記アクティブサイトｋｉが、別のユーザ機器ｊのアクティブサイトでない場合、
（外１６５）
2017522753.tif 000171
は、０に等しく、
（外１６６）
2017522753.tif 000172
は、前記ユーザ機器ｊから前記ユーザ機器ｉの前記アクティブサイトｋｉまでの電力測定値であり、
（外１６７）
2017522753.tif 000173
は、１又は０に等しく、前記サイトｋが、前記ユーザ機器ｉのアクティブサイトである場合、
（外１６８）
2017522753.tif 000174
は、１に等しく、前記サイトｋが、前記ユーザ機器ｉのアクティブサイトでない場合、
（外１６９）
2017522753.tif 000175
は、０に等しく、
（外１７０）
2017522753.tif 000176
は、信号を前記別のユーザ機器ｊに送信する場合に、前記ユーザ機器ｉの前記アクティブサイトｋｉによって使用される重みである、
請求項１又は２に記載の方法。
【請求項４】
前記ユーザ機器ｉの前記干渉セットＫ’ｉ内での別のユーザ機器ｊの前記ユーザ機器ｉに対する干渉信号、及び前記ユーザ機器ｉの前記アクティブセットＫｉ内での前記ユーザ機器ｉの所望の信号に従って、前記重み部分空間内で１つの重みを決定する前記ステップは、
前記ユーザ機器ｉの前記干渉セットＫ’ｉ内での前記別のユーザ機器ｊの前記ユーザ機器ｉに対する前記干渉信号を
（外１７１）
2017522753.tif 000177
のように計算するステップと、
前記ユーザ機器ｉの前記アクティブセット内での前記ユーザ機器ｉの前記所望の信号を
（外１７２）
2017522753.tif 000178
のように計算するステップと、
Ｍ個の最大重みの目標値を、ａｒｇｍａｘ｜｜Ｓｉ｜｜２／（｜｜Ｉｉ｜｜２＋Ｎｉ）に従って決定し、前記Ｍ個の最大重みの前記目標値の平均値を計算し、前記平均値を前記アクティブサイトｋｉによって使用される加重値として使用するステップであって、Ｎｉは、前記ユーザ機器ｉに対応するノイズである、ステップと
を含む、請求項３に記載の方法。
【請求項５】
前記ユーザ機器ｉの前記干渉セットＫ’ｉ内での別のユーザ機器ｊの前記ユーザ機器ｉに対する干渉信号、及び前記ユーザ機器ｉの前記アクティブセットＫｉ内での前記ユーザ機器ｉの所望の信号に従って、前記重み部分空間内で１つの重みを決定する前記ステップは、
前記ユーザ機器ｉの前記干渉セットＫ’ｉ内での前記別のユーザ機器ｊの前記ユーザ機器ｉに対する前記干渉信号の電力を
（外１７３）
2017522753.tif 000179
のように計算するステップと、
前記ユーザ機器ｉの前記アクティブセット内での前記ユーザ機器ｉの前記所望の信号の電力を
（外１７４）
2017522753.tif 000180
のように計算するステップと、
前記アクティブサイトｋｉの前記重み部分空間内で、Δｉの最小値及びΓｉの最大値に対応する重みを、前記アクティブサイトｋｉによって使用される加重値として使用するステップと、
を含む、請求項３に記載の方法。
【請求項６】
前記ユーザ機器ｉの前記干渉セットＫ’ｉ内での別のユーザ機器ｊの前記ユーザ機器ｉに対する干渉信号、及び前記ユーザ機器ｉの前記アクティブセットＫｉ内での前記ユーザ機器ｉの所望の信号に従って、前記重み部分空間内で１つの重みを決定する前記ステップは、
前記ユーザ機器ｉの前記干渉セットＫ’ｉ内での前記別のユーザ機器ｊの前記ユーザ機器ｉに対する前記干渉信号の電力を
（外１７５）
2017522753.tif 000181
のように計算するステップと、
前記ユーザ機器ｉの前記アクティブセット内での前記ユーザ機器ｉの前記所望の信号の電力を
（外１７６）
2017522753.tif 000182
のように計算するステップと、
前記重み部分空間内で、前記ユーザ機器ｉの前記干渉信号の前記電力Δｉが増加する方向から相互に直交する１又は複数の方向を除外し、前記ユーザ機器ｉの前記所望の信号の前記電力が減少する方向Γｉから相互に直交する１又は複数の方向を除外し、最後に残った方向に対応する重みを、前記アクティブサイトｋｉによって使用される加重値として使用するステップと、
を含む、請求項３に記載の方法。
【請求項７】
適応調整が、サイト送信電力の調整量に基づいて、ユーザ復調能力の調整量に基づいて、基地局復調能力の調整量に基づいて、及び／又はベアラシステムの調整量に基づいて、公称電力に対応するアクティブ化閾値に従って、前記アクティブ化閾値に対して実行され、
適応調整が、前記サイト送信電力の前記調整量に基づいて、前記ユーザ復調能力の前記調整量に基づいて、前記基地局復調能力の前記調整量に基づいて、及び／又は前記ベアラシステムの前記調整量に基づいて、前記公称電力に対応する干渉閾値に従って、前記干渉閾値に対して実行される、
請求項２に記載の方法。
【請求項８】
前記ユーザ機器ｉの前記アクティブセット内の各アクティブサイトの重みリスト内で１つの加重値を決定し、対応するアクティブサイトが信号を前記Ｍ個のユーザ機器に送信するために使用する重みとして、前記加重値を使用した後、前記方法が、
前記対応するアクティブサイトが、前記決定された加重値を使用することによって、同じ時間に同じ周波数で前記Ｍ個のユーザ機器に信号を送信するように、前記決定された加重値を前記対応するアクティブサイトに送信するステップ、
を含む、請求項１に記載の方法。
【請求項９】
Ｍ個のユーザ機器において、ユーザ機器ｉのアクティブセットＫｉ及び干渉セットＫ’ｉを、前記ユーザ機器ｉからＮ個のサイトまでの電力測定値に従って決定するように構成された第１の決定モジュールであって、前記ユーザ機器ｉの前記アクティブセットＫｉは、所望の信号を前記ユーザ機器ｉに提供するアクティブサイトの識別子ｋｉを含み、前記ユーザ機器ｉの前記干渉セットＫ’ｉは、干渉信号を前記ユーザ機器に提供する干渉サイトの識別子ｋ’ｉを含み、ｋｉ∈Ｋｉ、ｋ’ｉ∈Ｋ’ｉ、ｉ＝１，２，．．．Ｍであり、Ｍは、１以上の整数であり、Ｎは、１以上の整数である、第１の決定モジュールと、
前記第１の決定モジュールによって決定された前記アクティブセット及び前記干渉セットに基づいて、前記ユーザ機器ｉの前記アクティブセットＫｉについて、重みの１つの制約条件を獲得するために、すべてのアクティブサイトｋｉのすべての他のユーザ機器ｊの送信信号の重ね合わせを互いに相殺させ、前記Ｍ個のユーザ機器について、Ｍ個の制約条件を獲得し、重み部分空間Ｔを決定するように構成された第２の決定モジュールであって、前記重み部分空間は、Ｍ個の重みを含み、ｊは、前記Ｍ個のユーザ機器のうちの前記ユーザ機器ｉ以外の別のユーザ機器を表し、ｊ＝１，２，．．．Ｍ、ｊ≠ｉである、第２の決定モジュールと、
各ユーザ機器のアクティブセット内のいずれのアクティブサイトも、１つの加重値を決定し、対応するアクティブサイトが信号を前記Ｍ個のユーザ機器に送信するために使用する重みとして、前記加重値を使用するように、前記第２の決定モジュールによって決定された前記重み部分空間に基づいて、前記ユーザ機器ｉの前記干渉セットＫ’ｉ内での別のユーザ機器ｊの前記ユーザ機器ｉに対する干渉信号、及び前記ユーザ機器ｉの前記アクティブセットＫｉ内でのユーザ機器ｉの所望の信号に従って、前記重み部分空間内で１つの重みを決定するように構成された第３の決定モジュールと、
を備える信号処理装置。
【請求項１０】
前記第１の決定モジュールは、
前記Ｍ個のユーザ機器において、前記ユーザ機器ｉから前記Ｎ個のサイトまでの前記電力測定値に従って、前記ユーザ機器ｉからサイトｋまでの電力測定値が、事前設定されたアクティブ化閾値以上である場合、前記サイトｋを前記ユーザ機器ｉのアクティブサイトｋｉとして決定し、前記サイトｋを前記ユーザ機器ｉの前記アクティブセットＫｉに追加し、ｋ＝１，２，．．．Ｎ、ｋｉ＝１，２，．．．Ｎである、又は
前記ユーザ機器ｉからサイトｋまでの電力測定値が、事前設定されたアクティブ化閾値よりも小さく、事前設定された干渉閾値以上である場合、前記サイトｋを前記ユーザ機器ｉの干渉サイトｋ’ｉとして決定し、前記サイトｋを前記ユーザ機器ｉの前記干渉セットＫ’ｉに追加する、
ように特に構成される、請求項９に記載の装置。
【請求項１１】
前記第２の決定モジュールによって獲得される前記重みの前記制約条件は、
（外１７７）
2017522753.tif 000183
ここで、ｉ＝１，２，．．．Ｍ、ｊ＝１，２，．．．Ｍ、ｊ≠ｉ
であり、
ｉは、前記ユーザ機器ｉの識別子であり、ｋｉは、前記ユーザ機器ｉの前記アクティブセット内のアクティブサイトの識別子であり、
（外１７８）
2017522753.tif 000184
は、前記ユーザ機器ｉから前記アクティブサイトｋｉまでのチャネル測定値であり、
（外１７９）
2017522753.tif 000185
は、１又は０に等しく、前記ユーザ機器ｉの前記アクティブサイトｋｉが、別のユーザ機器ｊのアクティブサイトである場合、
（外１８０）
2017522753.tif 000186
は、１に等しく、前記ユーザ機器ｉの前記アクティブサイトｋｉが、別のユーザ機器ｊのアクティブサイトでない場合、
（外１８１）
2017522753.tif 000187
は、０に等しく、
（外１８２）
2017522753.tif 000188
は、前記ユーザ機器ｊから前記ユーザ機器ｉの前記アクティブサイトｋｉまでの電力測定値であり、
（外１８３）
2017522753.tif 000189
は、１又は０に等しく、前記サイトｋが、前記ユーザ機器ｉのアクティブサイトである場合、
（外１８４）
2017522753.tif 000190
は、１に等しく、前記サイトｋが、前記ユーザ機器ｉのアクティブサイトでない場合、
（外１８５）
2017522753.tif 000191
は、０に等しく、
（外１８６）
2017522753.tif 000192
は、信号を前記別のユーザ機器ｊに送信する場合に、前記ユーザ機器ｉの前記アクティブサイトｋｉによって使用される重みである、
請求項９又は１０に記載の装置。
【請求項１２】
前記第３の決定モジュールは、
前記ユーザ機器ｉの前記干渉セットＫ’ｉ内での前記別のユーザ機器ｊの前記ユーザ機器ｉに対する前記干渉信号を
（外１８７）
2017522753.tif 000193
のように計算し、
前記ユーザ機器ｉの前記アクティブセット内での前記ユーザ機器ｉの前記所望の信号を
（外１８８）
2017522753.tif 000194
のように計算し、
Ｍ個の最大重みの目標値を、ａｒｇｍａｘ｜｜Ｓｉ｜｜２／（｜｜Ｉｉ｜｜２＋Ｎｉ）に従って決定し、前記Ｍ個の最大重みの前記目標値の平均値を計算し、前記平均値を前記アクティブサイトｋｉによって使用される加重値として使用し、Ｎｉは、前記ユーザ機器ｉに対応するノイズである、
ように特に構成される、請求項１１に記載の装置。
【請求項１３】
前記第３の決定モジュールは、
前記ユーザ機器ｉの前記干渉セットＫ’ｉ内での前記別のユーザ機器ｊの前記ユーザ機器ｉに対する前記干渉信号の電力を
（外１８９）
2017522753.tif 000195
のように計算し、
前記ユーザ機器ｉの前記アクティブセット内での前記ユーザ機器ｉの前記所望の信号の電力を
（外１９０）
2017522753.tif 000196
のように計算し、
前記アクティブサイトｋｉの前記重み部分空間内で、Δｉの最小値及びΓｉの最大値に対応する重みを、前記アクティブサイトｋｉによって使用される加重値として使用する、
ように特に構成される、請求項１１に記載の装置。
【請求項１４】
前記第３の決定モジュールは、
前記ユーザ機器ｉの前記干渉セットＫ’ｉ内での前記別のユーザ機器ｊの前記ユーザ機器ｉに対する前記干渉信号の電力を
（外１９１）
2017522753.tif 000197
のように計算し、
前記ユーザ機器ｉの前記アクティブセット内での前記ユーザ機器ｉの前記所望の信号の電力を
（外１９２）
2017522753.tif 000198
のように計算し、
前記重み部分空間内で、前記ユーザ機器ｉの前記干渉信号の前記電力Δｉが増加する方向から相互に直交する１又は複数の方向を除外し、前記ユーザ機器ｉの前記所望の信号の前記電力が減少する方向Γｉから相互に直交する１又は複数を除外し、最後に残った方向に対応する重みを、前記アクティブサイトｋｉによって使用される加重値として使用する、
ように特に構成される、請求項１１に記載の装置。
【請求項１５】
適応調整が、サイト送信電力の調整量に基づいて、ユーザ復調能力の調整量に基づいて、基地局復調能力の調整量に基づいて、及び／又はベアラシステムの調整量に基づいて、公称電力に対応するアクティブ化閾値に従って、前記アクティブ化閾値に対して実行され、
適応調整が、前記サイト送信電力の前記調整量に基づいて、前記ユーザ復調能力の前記調整量に基づいて、前記基地局復調能力の前記調整量に基づいて、及び／又は前記ベアラシステムの前記調整量に基づいて、前記公称電力に対応する干渉閾値に従って、前記干渉閾値に対して実行される、
請求項１０に記載の装置。
【請求項１６】
前記対応するアクティブサイトが、前記決定された加重値を使用することによって、同じ時間に同じ周波数で前記Ｍ個のユーザ機器に信号を送信するように、前記第３の決定モジュールによって決定された前記加重値を前記対応するアクティブサイトに送信するように構成された送信モジュール
をさらに備える、請求項９に記載の装置。
【請求項１７】
信号処理システムであって、データセンタサーバと、Ｎ個のサイトと、Ｍ個のユーザ機器とを備え、Ｍは、１以上の整数であり、Ｎは、１以上の整数であり、
前記データセンタサーバは、請求項９から１６のいずれか一項に記載の信号処理装置であり、
前記Ｍ個のユーザ機器のうちの各ユーザ機器は、前記ユーザ機器から前記Ｎ個のサイトまでのチャネル測定値及び電力測定値を測定し、測定を通して獲得された前記ユーザ機器から前記Ｎ個のサイトまでの前記チャネル測定値及び前記電力測定値を、対応するサイトに送信するように構成され、
前記Ｎ個のサイトのうちの各サイトは、前記サイトから前記Ｍ個のユーザ機器までのチャネル測定値及び電力測定値を検出するように、又は前記Ｍ個のユーザ機器によって送信された前記Ｍ個のユーザ機器から前記サイトまでのチャネル測定値及び電力測定値を別々に受信するように構成され、
前記Ｎ個のサイトのうちの各サイトは、前記データセンタサーバが請求項１から８のいずれか一項に記載の信号処理方法を実行するように、前記サイトから前記Ｍ個のユーザ機器までの前記チャネル測定値及び前記電力測定値を前記データセンタサーバに送信するようにさらに構成される、
信号処理システム。
【請求項１８】
前記データセンタサーバは、前記サイトに対応するユーザ機器スケジューリング情報を決定し、前記サイトに対応する前記ユーザ機器スケジューリング情報に従って、前記ユーザ機器の送信信号のグルーピング、及び前記サイトについての波形合成を実行するようにさらに構成され、
前記データセンタサーバは、前記サイトに対応し、請求項１から８のいずれか一項に記載の信号処理方法を使用することによって獲得された、加重値に従って、ユーザ機器波形の計算、重みの重み付け、及び前記ユーザ機器波形の重み付けを実行するようにさらに構成される、
請求項１７に記載のシステム。
【請求項１９】
前記データセンタサーバは、前記サイトが、対応するサイト波形、ユーザ機器波形、及び加重値に従って、信号を前記ユーザ機器に送信するように、前記合成されたサイト波形、前記計算されたユーザ機器波形、及び前記加重値を、対応するサイトに送信するようにさらに構成され、
前記データセンタサーバは、前記サイトによって送信された前記信号に従ったアップリンク処理、前記ユーザ機器の前記送信信号の前記グルーピング、及び前記ユーザ機器波形の前記の重み付けを実行するようにさらに構成される、
請求項１８に記載のシステム。
【請求項２０】
前記Ｎ個のサイトのうちの各サイトは、前記データセンタサーバによって送信された加重値及びユーザスケジューリング情報に従って、ユーザ機器波形の計算、及び重みの重み付けを実行し、サイト波形の計算を実行し、前記サイト波形、前記ユーザ機器波形、及び前記加重値に従って、信号を前記ユーザ機器に送信するようにさらに構成される、
請求項１７に記載のシステム。
【発明の詳細な説明】
【技術分野】
【０００１】
本発明の実施形態は、通信技術の分野に関し、特に、信号処理方法、装置、及びシステムに関する。
【背景技術】
【０００２】
高密度無線カバレージ内の通信システムでは、すべての無線サイトは、カバレージエリア間に非常に大きいオーバーラップを有し、その結果、セルエッジは、存在せず、したがって、すべてのサイトとユーザ機器との間の信号は、非常に良好である。
【０００３】
しかしながら、まさに、すべてのサイトとユーザ機器との間の信号が非常に良好であるがために、サイトが同じ時間に同じ周波数で複数のユーザ機器にサービスを提供する場合、サイトが同じ時間に同じ周波数で複数のユーザ機器に信号を送信したときに、複数のユーザ機器間の信号干渉が引き起こされ、ユーザ機器のサービス品質を低下させることが、容易に引き起こされる。
【発明の概要】
【０００４】
本発明の実施形態は、サイトが同じ時間に同じ周波数で複数のユーザ機器に信号を送信したときに、複数のユーザ機器間の信号干渉が引き起こされるという、先行技術における問題を解決するために使用され、ユーザ機器のサービス品質を改善することができる、信号処理方法、装置、及びシステムを提供する。
【０００５】
第１の態様によれば、
Ｍ個のユーザ機器において、ユーザ機器ｉのアクティブセットＫｉ及び干渉セットＫ’ｉを、ユーザ機器ｉからＮ個のサイトまでの電力測定値に従って決定するステップであって、ユーザ機器ｉのアクティブセットＫｉは、所望の信号をユーザ機器ｉに提供するアクティブサイトの識別子ｋｉを含み、ユーザ機器ｉの干渉セットＫ’ｉは、干渉信号をユーザ機器に提供する干渉サイトの識別子ｋ’ｉを含み、ｋｉ∈Ｋｉ、ｋ’ｉ∈Ｋ’ｉ、ｉ＝１，２，．．．Ｍであり、Ｍは、１以上の整数であり、Ｎは、１以上の整数である、ステップと、
ユーザ機器ｉのアクティブセットＫｉについて、重みの１つの制約条件を獲得するために、すべてのアクティブサイトｋｉのすべての他のユーザ機器ｊの送信信号の重ね合わせを互いに相殺させ、Ｍ個のユーザ機器について、Ｍ個の制約条件を獲得し、重み部分空間Ｔを決定するステップであって、重み部分空間は、Ｍ個の重みを含み、ｊは、Ｍ個のユーザ機器のうちのユーザ機器ｉ以外の別のユーザ機器を表し、ｊ＝１，２，．．．Ｍ、ｊ≠ｉである、ステップと、
各ユーザ機器のアクティブセット内のいずれのアクティブサイトも、１つの加重値を決定し、対応するアクティブサイトが信号をＭ個のユーザ機器に送信するために使用する重みとして、加重値を使用するように、ユーザ機器ｉの干渉セットＫ’ｉ内での別のユーザ機器ｊのユーザ機器ｉに対する干渉信号、及びユーザ機器ｉのアクティブセットＫｉ内でのユーザ機器ｉの所望の信号に従って、重み部分空間内で１つの重みを決定するステップと、
を含む、信号処理方法が提供される。
【０００６】
第１の態様に基づいて、第１の実施方法では、Ｍ個のユーザ機器において、ユーザ機器ｉのアクティブセットＫｉ及び干渉セットＫ’ｉを、ユーザ機器ｉからＮ個のサイトまでの電力測定値に従って決定するステップは、
Ｍ個のユーザ機器において、ユーザ機器ｉからＮ個のサイトまでの電力測定値に従って、ユーザ機器ｉからサイトｋまでの電力測定値が、事前設定されたアクティブ化閾値以上である場合、サイトｋをユーザ機器ｉのアクティブサイトｋｉとして決定し、サイトｋをユーザ機器ｉのアクティブセットＫｉに追加するステップであって、ｋ＝１，２，．．．Ｎ、ｋｉ＝１，２，．．．Ｎである、ステップ、又は
ユーザ機器ｉからサイトｋまでの電力測定値が、事前設定されたアクティブ化閾値よりも小さく、事前設定された干渉閾値以上である場合、サイトｋをユーザ機器ｉの干渉サイトｋ’ｉとして決定し、サイトｋをユーザ機器ｉの干渉セットＫ’ｉに追加するステップ、
を含む。
【０００７】
第１の態様、又は第１の態様の第１の実施方法に基づいて、第２の実施方法では、ユーザ機器ｉのアクティブセットＫｉについて、すべてのアクティブサイトｋｉのすべての他のユーザ機器ｊの送信信号の重ね合わせを互いに相殺させることによって獲得される、重みの制約条件は、
（外１）
2017522753.tif 000003
ここで、ｉ＝１，２，．．．Ｍ、ｊ＝１，２，．．．Ｍ、ｊ≠ｉであり、
ｉは、ユーザ機器ｉの識別子であり、ｋｉは、ユーザ機器ｉのアクティブセット内のアクティブサイトの識別子であり、
（外２）
2017522753.tif 000004
は、ユーザ機器ｉからアクティブサイトｋｉまでのチャネル測定値であり、
（外３）
2017522753.tif 000005
は、１又は０に等しく、ユーザ機器ｉのアクティブサイトｋｉが、別のユーザ機器ｊのアクティブサイトである場合、
（外４）
2017522753.tif 000006
は、１に等しく、ユーザ機器ｉのアクティブサイトｋｉが、別のユーザ機器ｊのアクティブサイトでない場合、
（外５）
2017522753.tif 000007
は、０に等しく、
（外６）
2017522753.tif 000008
は、ユーザ機器ｊからユーザ機器ｉのアクティブサイトｋｉまでの電力測定値であり、
（外７）
2017522753.tif 000009
は、１又は０に等しく、サイトｋが、ユーザ機器ｉのアクティブサイトである場合、
（外８）
2017522753.tif 000010
は、１に等しく、サイトｋが、ユーザ機器ｉのアクティブサイトでない場合、
（外９）
2017522753.tif 000011
は、０に等しく、
（外１０）
2017522753.tif 000012
は、信号を別のユーザ機器ｊに送信する場合に、ユーザ機器ｉのアクティブサイトｋｉによって使用される重みである。
【０００８】
第１の態様の第２の実施方法に基づいて、第３の実施方法では、ユーザ機器ｉの干渉セットＫ’ｉ内での別のユーザ機器ｊのユーザ機器ｉに対する干渉信号、及びユーザ機器ｉのアクティブセットＫｉ内でのユーザ機器ｉの所望の信号に従って、重み部分空間内で１つの重みを決定するステップは、
ユーザ機器ｉの干渉セットＫ’ｉ内での別のユーザ機器ｊのユーザ機器ｉに対する干渉信号を
（外１１）
2017522753.tif 000013
のように計算するステップと、
ユーザ機器ｉのアクティブセット内でのユーザ機器ｉの所望の信号を
（外１２）
2017522753.tif 000014
のように計算するステップと、
Ｍ個の最大重みの目標値を、ａｒｇｍａｘ｜｜Ｓｉ｜｜２／（｜｜Ｉｉ｜｜２＋Ｎｉ）に従って決定し、Ｍ個の最大重みの目標値の平均値を計算し、平均値をアクティブサイトｋｉによって使用される加重値として使用するステップであって、Ｎｉは、ユーザ機器ｉに対応するノイズである、ステップと
を含む。
【０００９】
第１の態様の第２の実施方法に基づいて、第４の実施方法では、ユーザ機器ｉの干渉セットＫ’ｉ内での別のユーザ機器ｊのユーザ機器ｉに対する干渉信号、及びユーザ機器ｉのアクティブセットＫｉ内でのユーザ機器ｉの所望の信号に従って、重み部分空間内で１つの重みを決定するステップは、
ユーザ機器ｉの干渉セットＫ’ｉ内での別のユーザ機器ｊのユーザ機器ｉに対する干渉信号の電力を
（外１３）
2017522753.tif 000015
のように計算するステップと、
ユーザ機器ｉのアクティブセット内でのユーザ機器ｉの所望の信号の電力を
（外１４）
2017522753.tif 000016
のように計算するステップと、
アクティブサイトｋｉの重み部分空間内で、Δｉの最小値及びΓｉの最大値に対応する重みを、アクティブサイトｋｉによって使用される加重値として使用するステップと
を含む。
【００１０】
第１の態様の第２の実施方法に基づいて、第５の実施方法では、ユーザ機器ｉの干渉セットＫ’ｉ内での別のユーザ機器ｊのユーザ機器ｉに対する干渉信号、及びユーザ機器ｉのアクティブセットＫｉ内でのユーザ機器ｉの所望の信号に従って、重み部分空間内で１つの重みを決定するステップは、
ユーザ機器ｉの干渉セットＫ’ｉ内での別のユーザ機器ｊのユーザ機器ｉに対する干渉信号の電力を
（外１５）
2017522753.tif 000017
に計算するステップと、
ユーザ機器ｉのアクティブセット内でのユーザ機器ｉの所望の信号の電力を
（外１６）
2017522753.tif 000018
のように計算するステップと、
重み部分空間内で、ユーザ機器ｉの干渉信号の電力Δｉが増加する方向と相互に直交する１又は複数の方向を除外し、ユーザ機器ｉの所望の信号の電力が減少する方向Γｉから相互に直交する１又は複数の方向を除外し、最後に残った方向に対応する重みを、アクティブサイトｋｉによって使用される加重値として使用するステップと
を含む。
【００１１】
第１の態様の第１の実施方法に基づいて、第６の実施方法では、
適応調整が、サイト送信電力の調整量に基づいて、ユーザ復調能力の調整量に基づいて、基地局復調能力の調整量に基づいて、及び／又はベアラシステムの調整量に基づいて、公称電力に対応するアクティブ化閾値に従って、アクティブ化閾値に対して実行され、
適応調整が、サイト送信電力の調整量に基づいて、ユーザ復調能力の調整量に基づいて、基地局復調能力の調整量に基づいて、及び／又はベアラシステムの調整量に基づいて、公称電力に対応する干渉閾値に従って、干渉閾値に対して実行される。
【００１２】
第１の態様に基づいて、第７の実施方法では、ユーザ機器ｉのアクティブセット内の各アクティブサイトの重みリスト内で１つの加重値を決定し、対応するアクティブサイトが信号をＭ個のユーザ機器に送信するために使用する重みとして、加重値を使用した後、方法は、
対応するアクティブサイトが、決定された加重値を使用することによって、同じ時間に同じ周波数でＭ個のユーザ機器に信号を送信するように、決定された加重値を対応するアクティブサイトに送信するステップ、
を含む。
【００１３】
第２の態様によれば、
Ｍ個のユーザ機器において、ユーザ機器ｉのアクティブセットＫｉ及び干渉セットＫ’ｉを、ユーザ機器ｉからＮ個のサイトまでの電力測定値に従って決定するように構成された第１の決定モジュールであって、ユーザ機器ｉのアクティブセットＫｉは、所望の信号をユーザ機器ｉに提供するアクティブサイトの識別子ｋｉを含み、ユーザ機器ｉの干渉セットＫ’ｉは、干渉信号をユーザ機器に提供する干渉サイトの識別子ｋ’ｉを含み、ｋｉ∈Ｋｉ、ｋ’ｉ∈Ｋ’ｉ、ｉ＝１，２，．．．Ｍであり、Ｍは、１以上の整数であり、Ｎは、１以上の整数である、第１の決定モジュールと、
第１の決定モジュールによって決定されたアクティブセット及び干渉セットに基づいて、ユーザ機器ｉのアクティブセットＫｉについて、重みの１つの制約条件を獲得するために、すべてのアクティブサイトｋｉのすべての他のユーザ機器ｊの送信信号の重ね合わせを互いに相殺させ、Ｍ個のユーザ機器について、Ｍ個の制約条件を獲得し、重み部分空間Ｔを決定するように構成された第２の決定モジュールであって、重み部分空間は、Ｍ個の重みを含み、ｊは、Ｍ個のユーザ機器のうちのユーザ機器ｉ以外の別のユーザ機器を表し、ｊ＝１，２，．．．Ｍ、ｊ≠ｉである、第２の決定モジュールと、
各ユーザ機器のアクティブセット内のいずれのアクティブサイトも、１つの加重値を決定し、対応するアクティブサイトが信号をＭ個のユーザ機器に送信するために使用する重みとして、加重値を使用するように、第２の決定モジュールによって決定された重み部分空間に基づいて、ユーザ機器ｉの干渉セットＫ’ｉ内での別のユーザ機器ｊのユーザ機器ｉに対する干渉信号、及びユーザ機器ｉのアクティブセットＫｉ内でのユーザ機器ｉの所望の信号に従って、重み部分空間内で１つの重みを決定するように構成された第３の決定モジュールと、
を含む、信号処理装置が提供される。
【００１４】
第２の態様に基づいて、第１の実施方法では、第１の決定モジュールは、
Ｍ個のユーザ機器において、ユーザ機器ｉからＮ個のサイトまでの電力測定値に従って、ユーザ機器ｉからサイトｋまでの電力測定値が、事前設定されたアクティブ化閾値以上である場合、サイトｋをユーザ機器ｉのアクティブサイトｋｉとして決定し、サイトｋをユーザ機器ｉのアクティブセットＫｉに追加し、ｋ＝１，２，．．．Ｎ、ｋｉ＝１，２，．．．Ｎである、又は
ユーザ機器ｉからサイトｋまでの電力測定値が、事前設定されたアクティブ化閾値よりも小さく、事前設定された干渉閾値以上である場合、サイトｋをユーザ機器ｉの干渉サイトｋ’ｉとして決定し、サイトｋをユーザ機器ｉの干渉セットＫ’ｉに追加する、
ように特に構成される。
【００１５】
第２の態様、又は第２の態様の第１の実施方法に基づいて、第２の実施方法では、第２の決定モジュールによって獲得される重みの制約条件は、
（外１７）
2017522753.tif 000019
ここで、ｉ＝１，２，．．．Ｍ、ｊ＝１，２，．．．Ｍ、ｊ≠ｉであり、
ｉは、ユーザ機器ｉの識別子であり、ｋｉは、ユーザ機器ｉのアクティブセット内のアクティブサイトの識別子であり、
（外１８）
2017522753.tif 000020
は、ユーザ機器ｉからアクティブサイトｋｉまでのチャネル測定値であり、
（外１９）
2017522753.tif 000021
は、１又は０に等しく、ユーザ機器ｉのアクティブサイトｋｉが、別のユーザ機器ｊのアクティブサイトである場合、
（外２０）
2017522753.tif 000022
は、１に等しく、ユーザ機器ｉのアクティブサイトｋｉが、別のユーザ機器ｊのアクティブサイトでない場合、
（外２１）
2017522753.tif 000023
は、０に等しく、
（外２２）
2017522753.tif 000024
は、ユーザ機器ｊからユーザ機器ｉのアクティブサイトｋｉまでの電力測定値であり、
（外２３）
2017522753.tif 000025
は、１又は０に等しく、サイトｋが、ユーザ機器ｉのアクティブサイトである場合、
（外２４）
2017522753.tif 000026
は、１に等しく、サイトｋが、ユーザ機器ｉのアクティブサイトでない場合、
（外２５）
2017522753.tif 000027
は、０に等しく、
（外２６）
2017522753.tif 000028
は、信号を別のユーザ機器ｊに送信する場合に、ユーザ機器ｉのアクティブサイトｋｉによって使用される重みである。
【００１６】
第２の態様の第２の実施方法に基づいて、第３の実施方法では、第３の決定モジュールは、
ユーザ機器ｉの干渉セットＫ’ｉ内での別のユーザ機器ｊのユーザ機器ｉに対する干渉信号を
（外２７）
2017522753.tif 000029
のように計算することと、
ユーザ機器ｉのアクティブセットＫｉ内でのユーザ機器ｉの所望の信号を
（外２８）
2017522753.tif 000030
のように計算することと、
Ｍ個の最大重みの目標値を、ａｒｇｍａｘ｜｜Ｓｉ｜｜２／（｜｜Ｉｉ｜｜２＋Ｎｉ）に従って決定し、Ｍ個の最大重みの目標値の平均値を計算し、平均値をアクティブサイトｋｉによって使用される加重値として使用し、Ｎｉは、ユーザ機器ｉに対応するノイズである、
ように特に構成される。
【００１７】
第２の態様の第２の実施方法に基づいて、第４の実施方法では、第３の決定モジュールは、
ユーザ機器ｉの干渉セットＫ’ｉ内での別のユーザ機器ｊのユーザ機器ｉに対する干渉信号の電力を
（外２９）
2017522753.tif 000031
のように計算し、
ユーザ機器ｉのアクティブセット内でのユーザ機器ｉの所望の信号の電力を
（外３０）
2017522753.tif 000032
のように計算し、
アクティブサイトｋｉの重み部分空間内で、Δｉの最小値及びΓｉの最大値に対応する重みを、アクティブサイトｋｉによって使用される加重値として使用する、
ように特に構成される。
【００１８】
第２の態様の第２の実施方法に基づいて、第５の実施方法では、第３の決定モジュールは、
ユーザ機器ｉの干渉セットＫ’ｉ内での別のユーザ機器ｊのユーザ機器ｉに対する干渉信号の電力を
（外３１）
2017522753.tif 000033
のように計算し、
ユーザ機器ｉのアクティブセット内でのユーザ機器ｉの所望の信号の電力を
（外３２）
2017522753.tif 000034
のように計算し、
重み部分空間内で、ユーザ機器ｉの干渉信号の電力Δｉが増加する方向から相互に直交する１又は複数の方向を除外し、ユーザ機器ｉの所望の信号の電力が減少する方向Γｉから相互に直交する１又は複数を除外し、最後に残った方向に対応する重みを、アクティブサイトｋｉによって使用される加重値として使用する、
ように特に構成される。
【００１９】
第２の態様の第２の実施方法に基づいて、第６の実施方法では、
適応調整が、サイト送信電力の調整量に基づいて、ユーザ復調能力の調整量に基づいて、基地局復調能力の調整量に基づいて、及び／又はベアラシステムの調整量に基づいて、公称電力に対応するアクティブ化閾値に従って、アクティブ化閾値に対して実行され、
適応調整が、サイト送信電力の調整量に基づいて、ユーザ復調能力の調整量に基づいて、基地局復調能力の調整量に基づいて、及び／又はベアラシステムの調整量に基づいて、公称電力に対応する干渉閾値に従って、干渉閾値に対して実行される。
【００２０】
第２の態様に基づいて、第７の実施方法では、装置は、
対応するアクティブサイトが、決定された加重値を使用することによって、同じ時間に同じ周波数でＭ個のユーザ機器に信号を送信するように、第３の決定モジュールによって決定された加重値を対応するアクティブサイトに送信するように構成された送信モジュール
をさらに含む。
【００２１】
第３の態様によれば、データセンタサーバと、Ｎ個のサイトと、Ｍ個のユーザ機器とを含む、信号処理システムが提供され、Ｍは、１以上の整数であり、Ｎは、１以上の整数であり、
データセンタサーバは、第２の態様による信号処理装置であり、
Ｍ個のユーザ機器のうちの各ユーザ機器は、ユーザ機器からＮ個のサイトまでのチャネル測定値及び電力測定値を測定し、測定を通して獲得されたユーザ機器からＮ個のサイトまでのチャネル測定値及び電力測定値を、対応するサイトに送信するように構成され、
Ｎ個のサイトのうちの各サイトは、サイトからＭ個のユーザ機器までのチャネル測定値及び電力測定値を検出するように、又はＭ個のユーザ機器によって送信されたＭ個のユーザ機器からサイトまでのチャネル測定値及び電力測定値を別々に受信するように構成され、
Ｎ個のサイトのうちの各サイトは、データセンタサーバが第１の態様による信号処理方法を実行するように、サイトからＭ個のユーザ機器までのチャネル測定値及び電力測定値をデータセンタサーバに送信するようにさらに構成される。
【００２２】
第３の態様に基づいて、第１の実施方法では、
データセンタサーバは、サイトに対応するユーザ機器スケジューリング情報を決定し、サイトに対応するユーザ機器スケジューリング情報に従って、ユーザ機器の送信信号のグルーピング、及びサイトについての波形合成を実行するようにさらに構成され、
データセンタサーバは、サイトに対応し、第１の態様による信号処理方法を使用することによって獲得された、加重値に従って、ユーザ機器波形の計算、重みの重み付け、及びユーザ機器波形の重み付けを実行するようにさらに構成される。
【００２３】
第３の態様に基づいて、第２の実施方法では、
データセンタサーバは、サイトが、対応するサイト波形、ユーザ機器波形、及び加重値に従って、信号をユーザ機器に送信するように、合成されたサイト波形、計算されたユーザ機器波形、及び加重値を、対応するサイトに送信するようにさらに構成され、
データセンタサーバは、サイトによって送信された信号に従ったアップリンク処理、ユーザ機器の送信信号のグルーピング、及びユーザ機器波形の重み付けを実行するようにさらに構成される。
【００２４】
第３の態様に基づいて、第３の実施方法では、
Ｎ個のサイトのうちの各サイトは、データセンタサーバによって送信された加重値及びユーザスケジューリング情報に従って、ユーザ機器波形の計算、及び重みの重み付けを実行し、サイト波形の計算を実行し、サイト波形、ユーザ機器波形、及び加重値に従って、信号をユーザ機器に送信するようにさらに構成される。
【００２５】
本発明の実施形態では、Ｍ個のユーザ機器において、ユーザ機器ｉのアクティブセットＫｉ及び干渉セットＫ’ｉが、ユーザ機器ｉからＮ個のサイトまでの電力測定値に従って決定され、ユーザ機器ｉのアクティブセットＫｉは、所望の信号をユーザ機器ｉに提供するアクティブサイトの識別子ｋｉを含み、ユーザ機器ｉの干渉セットＫ’ｉは、干渉信号をユーザ機器に提供する干渉サイトの識別子ｋ’ｉを含み、ｋｉ∈Ｋｉ、ｋ’ｉ∈Ｋ’ｉ、ｉ＝１，２，．．．Ｍであり、ユーザ機器ｉのアクティブセットＫｉについて、重みの１つの制約条件を獲得するために、すべてのアクティブサイトｋｉのすべての他のユーザ機器ｊの送信信号の重ね合わせが互いに相殺され、Ｍ個のユーザ機器について、Ｍ個の制約条件が獲得され、重み部分空間Ｔが決定され、重み部分空間は、Ｍ個の重みを含み、ｊは、Ｍ個のユーザ機器のうちのユーザ機器ｉ以外の別のユーザ機器を表し、ｊ＝１，２，．．．Ｍ、ｊ≠ｉであり、各ユーザ機器のアクティブセット内のいずれのアクティブサイトも、１つの加重値を決定し、対応するアクティブサイトが信号をＭ個のユーザ機器に送信するために使用する重みとして、加重値を使用するように、ユーザ機器ｉの干渉セットＫ’ｉ内での別のユーザ機器ｊのユーザ機器ｉに対する干渉信号、及びユーザ機器ｉのアクティブセットＫｉ内でのユーザ機器ｉの所望の信号に従って、１つの重みが重み部分空間内で決定される。このように、干渉セット内でのユーザ機器間の干渉の最大限の抑制は、アクティブサイト内でのユーザ機器間のゼロ干渉に基づいて実施されることができる。したがって、サイトが同じ時間に同じ周波数で複数のユーザ機器に信号を送信したときに、複数のユーザ機器間の信号干渉が引き起こされるという、先行技術における問題は、解決されることができ、それによって、ユーザ機器のサービス品質を改善する。
【００２６】
本発明の実施形態又は先行技術における技術的解決策をより明確に説明するために、以下の記述は、実施形態又は先行技術を説明するために必要とされる添付の図面を簡潔に紹介している。明らかに、以下の説明における添付の図面は、本発明のいくつかの実施形態を示しており、当業者は、創意的な取り組みなしに、これらの添付の図面から他の図面をさらに導き出すことができる。
【図面の簡単な説明】
【００２７】
【図１】本発明の実施形態による信号処理方法の概略フローチャートである。
【図２】本発明の別の実施形態による信号処理方法の概略フローチャートである。
【図３】本発明の実施形態による信号処理装置の概略構造図である。
【図４】本発明の実施形態による信号処理システムの概略構造図である。
【図５】本発明の実施形態による信号処理システムによって実行される信号処理の概略フローチャートである。
【図６】本発明の実施形態による分散信号処理のためのデータセンタのネットワークシステムアーキテクチャ図である。
【図７−１】本発明の実施形態による高度に集中化された信号処理のためのデータセンタのネットワークシステムアーキテクチャにおけるサイト動作原理の概略図である。
【図７−２】本発明の実施形態による高度に集中化された信号処理のためのデータセンタのネットワークシステムアーキテクチャにおけるデータセンタ動作原理の概略図である。
【発明を実施するための形態】
【００２８】
本発明の実施形態の目的、技術的解決策、及び利点をより明確にするために、以下の記述は、本発明の実施形態における添付の図面を参照して、本発明の実施形態における技術的解決策を明確及び完全に説明する。明らかに、説明される実施形態は、本発明の実施形態のいくつかであり、すべてではない。創意的な取り組みなしに、本発明の実施形態に基づいて、当業者によって獲得されるすべての他の実施形態は、本発明の保護範囲内にある。
【００２９】
本発明の技術的解決策は、様々な無線通信システムに、例えば、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ，略称ＧＳＭ）、汎用パケット無線サービス（Ｇｅｎｅｒａｌ  Ｐａｃｋｅｔ  Ｒａｄｉｏ  Ｓｅｒｖｉｃｅ，略称ＧＰＲＳ）システム、符号分割多元接続（Ｃｏｄｅ  Ｄｉｖｉｓｉｏｎ  Ｍｕｌｔｉｐｌｅ  Ａｃｃｅｓｓ，略称ＣＤＭＡ）システム、ＣＤＭＡ２０００システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，略称ＷＣＤＭＡ）システム、ロングタームエボリューション（Ｌｏｎｇ  Ｔｅｒｍ  Ｅｖｏｌｕｔｉｏｎ，略称ＬＴＥ）システム、及びマイクロ波アクセス用世界的相互運用性（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ，略称ＷｉＭＡＸ）システムに適用されることができる。
【００３０】
高密度及び高電力に基づいた既存の無線通信システムでは、セル間のオーバーラップは、非常に大きく、したがって、２つのタイプのサイトが、各ユーザ機器に対して存在し、第１のタイプのサイトは、非常に高い送信電力を与えるサイトであり、第２のタイプのサイトは、低い又は非常に低い送信電力を与えるサイトである。第１のタイプのサイトの場合、チャネルは、正確に推定されることができ、したがって、信号がユーザ機器に送信される場合、大きいエネルギー増加が、達成されることができ、加えて、信号が別のユーザ機器に送信される場合、ユーザ機器に対する干渉は、非常に良好に抑制されることができる。第２のタイプのサイトの場合、チャネル推定の正確性及びノイズの影響のせいで、信号は、ユーザ機器に直接的に送信されることができないが、その理由は、信号が別のサイトの信号上にあまり良好に重ね合わされることができないという問題が生じることがあるからであり、第二には、信号が別のユーザ機器に送信される場合、このユーザ機器に対する干渉は、抑制するのが比較的困難であるからである。
【００３１】
したがって、サイトが同じ時間に同じ周波数で複数のユーザ機器にサービスを提供する場合、サイトが同じ時間に同じ周波数で複数のユーザ機器に信号を送信したときに、複数のユーザ機器間の信号干渉が引き起こされ、ユーザ機器のサービス品質を低下させることが、容易に引き起こされる。
【００３２】
上述の技術的問題を解決するために、本発明の実施形態は、サイトが同じ時間に同じ周波数で複数のユーザ機器に信号を送信したときに、複数のユーザ機器間の信号干渉が引き起こされるという、先行技術における問題を解決することができ、ユーザ機器のサービス品質を改善することができる、信号処理方法を提供する。
【００３３】
図１は、本発明の実施形態による信号処理方法の概略フローチャートである。図１に示されるように、方法は、以下を含む。
【００３４】
１０１：Ｍ個のユーザ機器において、ユーザ機器ｉのアクティブセットＫｉ及び干渉セットＫ’ｉを、ユーザ機器ｉからＮ個のサイトまでの電力測定値に従って決定する。
【００３５】
ユーザ機器ｉのアクティブセットＫｉは、所望の信号をユーザ機器ｉに提供するアクティブサイトの識別子ｋｉを含み、
ユーザ機器ｉの干渉セットＫ’ｉは、干渉信号をユーザ機器に提供する干渉サイトの識別子ｋ’ｉを含み、
ｋｉ∈Ｋｉ、ｋ’ｉ∈Ｋ’ｉ、ｉ＝１，２，．．．Ｍであり、Ｍは、１以上の整数であり、Ｎは、１以上の整数である。
【００３６】
任意選択的に、この実施形態では、実施中に、ステップ１０１は、
Ｍ個のユーザ機器において、ユーザ機器ｉからＮ個のサイトまでの電力測定値に従って、ユーザ機器ｉからサイトｋまでの電力測定値が、事前設定されたアクティブ化閾値以上である場合、サイトｋをユーザ機器ｉのアクティブサイトｋｉとして決定し、サイトｋをユーザ機器ｉのアクティブセットＫｉに追加するステップであって、ｋ＝１，２，．．．Ｎ、ｋｉ＝１，２，．．．Ｎである、ステップ、又は
ユーザ機器ｉからサイトｋまでの電力測定値が、事前設定されたアクティブ化閾値よりも小さく、事前設定された干渉閾値以上である場合、サイトｋをユーザ機器ｉの干渉サイトｋ’ｉとして決定し、サイトｋをユーザ機器ｉの干渉セットＫ’ｉに追加するステップ、
を含む。
【００３７】
この実施形態では、適応調整が、サイト送信電力の調整量に基づいて、ユーザ復調能力の調整量に基づいて、基地局復調能力の調整量に基づいて、及び／又はベアラシステムの調整量に基づいて、公称電力に対応するアクティブ化閾値に従って、アクティブ化閾値に対して実行され、
適応調整が、サイト送信電力の調整量に基づいて、ユーザ復調能力の調整量に基づいて、基地局復調能力の調整量に基づいて、及び／又はベアラシステムの調整量に基づいて、公称電力に対応する干渉閾値に従って、干渉閾値に対して実行される。
【００３８】
１０２：ユーザ機器ｉのアクティブセットＫｉについて、重みの１つの制約条件を獲得するために、すべてのアクティブサイトｋｉのすべての他のユーザ機器ｊの送信信号の重ね合わせを互いに相殺させ、Ｍ個のユーザ機器について、Ｍ個の制約条件を獲得し、重み部分空間Ｔを決定する。
【００３９】
重み部分空間は、Ｍ個の重みを含み、ｊは、Ｍ個のユーザ機器のうちのユーザ機器ｉ以外の別のユーザ機器を表し、ｊ＝１，２，．．．Ｍ、ｊ≠ｉである。
【００４０】
任意選択的に、この実施形態では、ユーザ機器ｉのアクティブセットＫｉについて、すべてのアクティブサイトｋｉのすべての他のユーザ機器ｊの送信信号の重ね合わせを互いに相殺させることによって獲得される、重みの制約条件は、
（外３３）
2017522753.tif 000035
ここで、ｉ＝１，２，．．．Ｍ、ｊ＝１，２，．．．Ｍ、ｊ≠ｉであり、
ｉは、ユーザ機器ｉの識別子であり、ｋｉは、ユーザ機器ｉのアクティブセット内のアクティブサイトの識別子であり、
（外３４）
2017522753.tif 000036
は、ユーザ機器ｉからアクティブサイトｋｉまでのチャネル測定値であり、
（外３５）
2017522753.tif 000037
は、１又は０に等しく、ユーザ機器ｉのアクティブサイトｋｉが、別のユーザ機器ｊのアクティブサイトである場合、
（外３６）
2017522753.tif 000038
は、１に等しく、ユーザ機器ｉのアクティブサイトｋｉが、別のユーザ機器ｊのアクティブサイトでない場合、
（外３７）
2017522753.tif 000039
は、０に等しく、
（外３８）
2017522753.tif 000040
は、ユーザ機器ｊからユーザ機器ｉのアクティブサイトｋｉまでの電力測定値であり、
（外３９）
2017522753.tif 000041
は、１又は０に等しく、サイトｋが、ユーザ機器ｉのアクティブサイトである場合、
（外４０）
2017522753.tif 000042
は、１に等しく、サイトｋが、ユーザ機器ｉのアクティブサイトでない場合、
（外４１）
2017522753.tif 000043
は、０に等しく、
（外４２）
2017522753.tif 000044
は、信号を別のユーザ機器ｊに送信する場合に、ユーザ機器ｉのアクティブサイトｋｉによって使用される重みである。
【００４１】
１０３：各ユーザ機器のアクティブセット内のいずれのアクティブサイトも、１つの加重値を決定し、対応するアクティブサイトが信号をＭ個のユーザ機器に送信するために使用する重みとして、加重値を使用するように、ユーザ機器ｉの干渉セットＫ’ｉ内での別のユーザ機器ｊのユーザ機器ｉに対する干渉信号、及びユーザ機器ｉのアクティブセットＫｉ内でのユーザ機器ｉの所望の信号に従って、重み部分空間内で１つの重みを決定する。
【００４２】
本発明の１つの任意選択的な実施方法では、実施中に、ステップ１０３は、
ユーザ機器ｉの干渉セットＫ’ｉ内での別のユーザ機器ｊのユーザ機器ｉに対する干渉信号を
（外４３）
2017522753.tif 000045
のように計算するステップと、
ユーザ機器ｉのアクティブセット内でのユーザ機器ｉの所望の信号を
（外４４）
2017522753.tif 000046
のように計算するステップと、
Ｍ個の最大重みの目標値を、ａｒｇｍａｘ｜｜Ｓｉ｜｜２／（｜｜Ｉｉ｜｜２＋Ｎｉ）に従って決定し、Ｍ個の最大重みの目標値の平均値を計算し、平均値をアクティブサイトｋｉによって使用される加重値として使用するステップであって、Ｎｉは、ユーザ機器ｉに対応するノイズである、ステップと、
を含む。
【００４３】
本発明の１つの任意選択的な実施方法では、実施中に、ステップ１０３は、
ユーザ機器ｉの干渉セットＫ’ｉ内での別のユーザ機器ｊのユーザ機器ｉに対する干渉信号の電力を
（外４５）
2017522753.tif 000047
のように計算することと、
ユーザ機器ｉのアクティブセット内でのユーザ機器ｉの所望の信号の電力を
（外４６）
2017522753.tif 000048
のように計算するステップと、
アクティブサイトｋｉの重み部分空間内で、Δｉの最小値及びΓｉの最大値に対応する重みを、アクティブサイトｋｉによって使用される加重値として使用するステップと、
を含む。
【００４４】
本発明の１つの任意選択的な実施方法では、実施中に、ステップ１０３は、
ユーザ機器ｉの干渉セットＫ’ｉ内での別のユーザ機器ｊのユーザ機器ｉに対する干渉信号の電力を
（外４７）
2017522753.tif 000049
のように計算するステップと、
ユーザ機器ｉのアクティブセット内でのユーザ機器ｉの所望の信号の電力を
（外４８）
2017522753.tif 000050
のように計算するステップと、
重み部分空間内で、ユーザ機器ｉの干渉信号の電力Δｉが増加する方向から相互に直交する１又は複数の方向を除外し、ユーザ機器ｉの所望の信号の電力が減少する方向Γｉから相互に直交する１又は複数を除外し、最後に残った方向に対応する重みを、アクティブサイトｋｉによって使用される加重値として使用するステップと、
を含む。
【００４５】
１０４：対応するアクティブサイトが、決定された加重値を使用することによって、同じ時間に同じ周波数でＭ個のユーザ機器に信号を送信するように、決定された加重値を対応するアクティブサイトに送信する。
【００４６】
本発明のこの実施形態では、Ｍ個のユーザ機器において、ユーザ機器ｉのアクティブセットＫｉ及び干渉セットＫ’ｉが、ユーザ機器ｉからＮ個のサイトまでの電力測定値に従って決定され、ユーザ機器ｉのアクティブセットＫｉは、所望の信号をユーザ機器ｉに提供するアクティブサイトの識別子ｋｉを含み、ユーザ機器ｉの干渉セットＫ’ｉは、干渉信号をユーザ機器に提供する干渉サイトの識別子ｋ’ｉを含み、ｋｉ∈Ｋｉ、ｋ’ｉ∈Ｋ’ｉ、ｉ＝１，２，．．．Ｍであり、ユーザ機器ｉのアクティブセットＫｉについて、重みの１つの制約条件を獲得するために、すべてのアクティブサイトｋｉのすべての他のユーザ機器ｊの送信信号の重ね合わせが互いに相殺され、Ｍ個のユーザ機器について、Ｍ個の制約条件が獲得され、重み部分空間Ｔが決定され、重み部分空間は、Ｍ個の重みを含み、ｊは、Ｍ個のユーザ機器のうちのユーザ機器ｉ以外の別のユーザ機器を表し、ｊ＝１，２，．．．Ｍ、ｊ≠ｉであり、各ユーザ機器のアクティブセット内のいずれのアクティブサイトも、１つの加重値を決定し、対応するアクティブサイトが信号をＭ個のユーザ機器に送信するために使用する重みとして、加重値を使用するように、ユーザ機器ｉの干渉セットＫ’ｉ内での別のユーザ機器ｊのユーザ機器ｉに対する干渉信号、及びユーザ機器ｉのアクティブセットＫｉ内でのユーザ機器ｉの所望の信号に従って、１つの重みが重み部分空間内で決定される。このように、干渉セット内でのユーザ機器間の干渉の最大限の抑制は、アクティブサイト内でのユーザ機器間のゼロ干渉に基づいて実施されることができる。したがって、サイトが同じ時間に同じ周波数で複数のユーザ機器に信号を送信したときに、複数のユーザ機器間の信号干渉が引き起こされるという、先行技術における問題は、解決され、それによって、ユーザ機器のサービス品質を改善する。
【００４７】
以下の記述は、図１に示された実施形態における信号処理方法の特定の実施について説明する。
【００４８】
Ｎ個のサイトが、Ｍ個のユーザ機器にサービスを提供し、各ユーザ機器について、チャネル推定が、Ｎ個のサイト上で実行され、ユーザ機器のための各サイトの送信電力が、チャネル推定によって推定されて、１つのユーザ電力表及び１つのチャネル推定表を生成することが仮定される。ユーザ機器測定が実行された後、これらのパラメータは、測定チャネルを使用することによって、ＴＤＤチャネル相反性モードに基づいた測定を実行するために、サイトに報告される。便宜的に、この実施形態では、この解決策は、単一のアンテナを有するサイトを使用することによって説明されるが、それは、複数のアンテナを有するケースに適用されることができる。
【表１】
2017522753.tif 000051
【００４９】
加えて、各ユーザ機器は、すべての送信サイトのチャネルをテストし、テスト後の正規化されたチャネルが、以下の表に示されている。
【表２】
2017522753.tif 000052
【００５０】
最初に、アクティブセット、干渉セット、及びＩｄｌｅセットが、各ユーザ機器について定義される。アクティブセットは、所望の信号をユーザ機器に送信しようとするサイトであり、干渉セットは、ユーザ機器に性能ゲインを提供するにはその信号電力では十分ではないが、干渉レベルは無視することができないサイトであり、Ｉｄｌｅセットは、残りのサイトである。
【００５１】
ユーザ機器ｉのアクティブセット内のサイトｋｉについて、チャネル推定に従って、加重値
（外４９）
2017522753.tif 000053
を選択し、アクティブセット関連選択関数
（外５０）
2017522753.tif 000054
を定義し、ここでサイトｋがユーザ機器ｉのアクティブセットに属する場合、
（外５１）
2017522753.tif 000055
であり、サイトｋがユーザ機器ｉのアクティブセットに属さない場合、
（外５２）
2017522753.tif 000056
であり、
干渉セット関連選択関数Ｉｉ，ｊを定義し、ここでサイトｋ’がユーザ機器ｉの干渉セットに属する場合、
（外５３）
2017522753.tif 000057
であり、サイトｋ’がユーザ機器ｉの干渉セットに属さない場合、
（外５４）
2017522753.tif 000058
である
ことが必要である。
【００５２】
上で提供されたシステム電力測定表及びシステムチャネル測定表に基づいて、図２は、本発明の別の実施形態による信号処理方法の概略フローチャートであり、図２に示されるように、方法は、以下を含む。
【００５３】
２０１：ユーザ機器ｉのアクティブセット及び干渉セットを初期化する。
【００５４】
この実施形態では、２つの決定閾値が、すなわち、アクティブセットの閾値（Ｔｈｒｅｓｈｏｌｄ  ｏｆ  Ａｃｔｉｖｅ  Ｓｅｔ，ＴｏＡ）及び干渉セットの閾値（Ｔｈｒｅｓｈｏｌｄ  ｏｆ  Ｉｎｔｅｒｆｅｒｅｎｃｅ  Ｓｅｔ，ＴｏＩ）が、事前設定される。
【００５５】
Ｐｉｋ≧ＴｏＡである場合、サイトｋは、ユーザ機器ｉのアクティブセットに入れられ、ＴｏＡ＞Ｐｉｋ≧ＩｏＡである場合、サイトｋは、ユーザ機器ｉの干渉セットに入れられ、残りのサイトは、例えば、アイドル（Ｉｄｌｅ）セットに入れられることができる。
【００５６】
実際の無線環境は、複雑であり、又は配備位置及び送信電力は、各サイトについてまったく同じではなく、したがって、適応調整が、関連するアクティブセットの閾値及び干渉セットの閾値に対して、時間及びサイトパラメータに基づいて、さらに実行される必要がある。調整アルゴリズムは、例えば、公称電力比率アルゴリズム及び最大容量アルゴリズムを含む。
【００５７】
公称電力比率アルゴリズムは、
異なるシステムについて、システムの公称電力は、まったく同じではなく、例えば、現在のシステム定義に従って、５Ｗ信号が放射されることがあり、計算は、３０ｄＢの強いカバレージ信号フェージングに従って実行されることができ、５ｍＷよりも大きい受信電力を有するサイトは、アクティブセットに属し、０．１ｍＷから５ｍＷの間の測定受信電力を有するサイトは、干渉セットに属し、別の基地局の送信電力が１Ｗである場合、決定閾値は、公称５Ｗを有する場合の決定閾値を５で除算したものと見なされることができる
ことを含む。
【００５８】
最大容量アルゴリズムに従った計算は、
重み計算及びユーザスケジューリングが、上述の実施形態におけるアルゴリズムを使用することによって実行され、各ユーザ機器の容量は、Ｃｉ＝ｌｏｇ（１＋Γｉ／Δｉ）として計算され、アクティブセットの閾値が、調整され、例えば、最初に、閾値が増加させられ、容量が再計算され、すべてのユーザ機器の容量が増加する場合、閾値が増加させられ、すべてのユーザ機器の容量が減少する場合、容量が逆方向に再計算され、例えば、閾値が減少させられ、ある閾値に達した場合、閾値の増加及び減少はともに、ユーザ機器の容量を減少させ、その場合、閾値は変更せずにおかれる
ことを含む。
【００５９】
上述の閾値は、半永続的な調整パラメータであり、一般に、システム初期化後は変化しない。調整トリガリング条件は、２つのタイプを含み、第一は、周期的調整であり、例えば、一般的な無線システム要件に従って、調整が１分毎に１度開始されるように設定され、第二は、イベントトリガリングであり、何らかのスケジューリング及び重み計算が終了した後、システムの総容量及びユーザの容量が明らかに減少したとき、閾値調整プロセスが開始される。
【００６０】
この実施形態では、調整は、例えば、端末及び基地局の復調閾値に従って、実行されることもできる。システムは、ユーザ機器中心のセルである。したがって、サイトをアクティブセット及び干渉セットに入れるための決定閾値は、ユーザ機器に基づく。システムにアクセスする場合、各ユーザ機器は、復調能力を１つのパラメータとしてデータセンタサーバに送信することができ、データセンタサーバは、ユーザ機器の能力に基づいて、データセンタサーバの決定閾値を調整する。同様に、アップリンクサービスの場合、基地局の決定閾値は、基地局の復調能力に従って、やはり決定されることができる。すなわち、アップリンク及びダウンリンクの決定閾値は、異なることがある。
【００６１】
この実施形態では、決定閾値は、例えば、対象となるシステムに基づいて、決定されることもでき、通信システムは、３Ｇ、４Ｇ、及び５Ｇなどを含むシステムの信号を運ぶことができる。システムの復調閾値は、僅かに異なる。ユーザがシステムにアクセスした後、ユーザによって使用される決定閾値を選択するために、ユーザベアラ信号の通信システムが決定される。
【００６２】
この実施形態では、決定閾値は、例えば、統合されることもでき、１つのシステム実施において使用される統合された決定アルゴリズムは、上述の解決策の組み合わせである。使用される決定閾値は、
ＴｏＡ＝ＴｏＡ  ｎｏｒｍａｌ＋Δｐ＋Δｕｓｅｒ＋ΔＢＳ＋Δｓｙｓｔｅｍ
及び
ＩｏＡ＝ＩｏＡ  ｎｏｒｍａｌ＋Δｐ＋Δｕｓｅｒ＋ΔＢＳ＋Δｓｙｓｔｅｍ
である。
【００６３】
上述の式において、第１項ＴｏＡ  ｎｏｒｍａｌは、例えば、公称電力５Ｗに対応する閾値であり、Δｐは、サイト送信電力に基づいた調整量であり、Δｕｓｅｒは、ユーザ復調能力に基づいた調整量であり、ΔＢＳは、基地局復調能力に基づいた調整量であり、Δｓｙｓｔｅｍは、ベアラシステムに基づいた調整量に基づいた調整量である。
【００６４】
２０２：ユーザ機器ｉのアクティブセット内でユーザ機器ｉのための初期重み部分空間を計算する。
【００６５】
以下の式、すなわち、
（外５５）
2017522753.tif 000059
のような式が、初期重み部分空間のために使用されることができる。
【００６６】
上述の式では、ｋ∈Ｎであり、すなわち、サイトｋは、Ｎ個のサイトのうちのいずれかのサイトであり、ｉは、ユーザ機器ｉであり、ｊは、ユーザ機器ｊを表し、ｉ＝１，２，．．．Ｍ、ｊ＝１，２，．．．Ｍ、ｊ≠ｉであり、サイトｋが、ユーザ機器ｉのアクティブセット内のサイトである場合、Ａｉ，ｋは、１に等しく、それ以外の場合、Ａｉ，ｋは、０に等しく、サイトｋが、ユーザ機器ｊのアクティブセット内のサイトである場合、Ａｊ，ｋは、１に等しく、それ以外の場合、Ａｊ，ｋは、０に等しい。
【００６７】
上記の式は、Ｍ個の制約条件と、Ｎ×Ｍ個の重み変数とを含み、したがって、可解である。上記の式を使用することによって、アクティブセット内のサイトによって、サイトが別のユーザ機器に信号を送信するときに、ユーザ機器ｉに対して引き起こされる干渉は、除去されることができる。上記の式は、実際には、Ｍ個の制約条件が取り除かれると、Ｎ×Ｍ個の重みが（Ｎ−１）×Ｍの自由度を有する、空間解決問題である。すべての重みは、制約される直交空間上に影を投げ、（Ｎ−１）×Ｍ次元を有する、Ｎ×Ｍ次元の１つの列空間を構成することが仮定され、直交部分空間の基底は、
（外５６）
2017522753.tif 000060
であり、部分空間は、Ｔとして記録され、各重みは、Ｎ×Ｍの列ベクトルであることが仮定される。
【００６８】
２０３：各ユーザ機器のアクティブセット内のいずれのアクティブサイトも、１つの加重値を決定し、対応するアクティブサイトが信号をＭ個のユーザ機器に送信するために使用する重みとして、加重値を使用するように、ユーザ機器ｉの干渉セットＫ’ｉ内での別のユーザ機器ｊのユーザ機器ｉに対する干渉信号、及びユーザ機器ｉのアクティブセットＫｉ内でのユーザ機器ｉの所望の信号に従って、重み部分空間内で１つの重みを決定する。
【００６９】
任意選択的な実施方法では、第一に、ユーザ機器ｉの干渉セットＫ’ｉ内での別のユーザ機器のユーザ機器ｉに対する干渉信号が、
（外５７）
2017522753.tif 000061
として定義され、
ユーザ機器ｉのアクティブセット内でのユーザ機器ｉの所望の信号が、
（外５８）
2017522753.tif 000062
として定義され、
本明細書では、すべてのユーザ信号は、計算を通して獲得された上述の部分空間Ｔ内で選択され、
第二に、Ｍ個の最大目標値が、ａｒｇｍａｘ｜｜Ｓｉ｜｜２／（｜｜Ｉｉ｜｜２＋Ｎｉ）に従って、計算を通して獲得され、ここで、Ｎｉは、ユーザ機器ｉのノイズであり、次に、Ｍ個の最大目標値が、加重値を獲得するために、平均され、上述のステップ２０３で使用された探索方法は、部分空間Ｔ内で網羅的探索を実行しており、固定小数点計算空間内では、そのような探索空間は、限られている。
【００７０】
任意選択的な実施方法では、ユーザ機器ｉについて、電力は、ユーザ機器ｉの干渉信号及び所望の信号、すなわち、
（外５９）
2017522753.tif 000063
及び
（外６０）
2017522753.tif 000064
に従って計算される。
【００７１】
上記の式の場合、勾配によって増加させられるΓｉと、勾配によって減少させられるΔｉは、別々に解かれる。上述の２つの勾配値は、重みについての２次形式であり、上に開いた２次形式であり、したがって、大域的最小値が存在する。大域的最小値を指す方向は、Δｉの方向として単純に使用され、大域的最小値を指す方向とは反対の方向は、Γｉの方向として単純に使用される。ステップ２０２では、すべてのユーザ機器の重みのために構成される空間は、部分空間Ｔ内にあり、したがって、各重みは、部分空間Ｔ内の（Ｎ−１）×Ｍ個（単一のアンテナの場合）の無関係なベクトル
（外６１）
2017522753.tif 000065
の加重和として表され、すなわち、
（外６２）
2017522753.tif 000066
であり、異なる各ユーザ機器では、２つの提案される方向が存在し、それらは、空間Ｔ内で別々に影を投げ、
（外６３）
2017522753.tif 000067
及び
（外６４）
2017522753.tif 000068
であると別々に仮定されることが仮定される。２Ｍ個の方向の平均方向が、使用され、すなわち、方向は、
（外６５）
2017522753.tif 000069
となるように調整され、ほとんどのユーザ信号の電力は増加するが、干渉電力は減少することが、大域的に保証されることができる。
【００７２】
任意選択的な実施方法では、ユーザ機器ｉについて、電力は、ユーザ機器ｉの干渉信号及び所望の信号、すなわち、
（外６６）
2017522753.tif 000070
及び
（外６７）
2017522753.tif 000071
に従って計算される。
【００７３】
上記の式の場合、勾配によって増加させられるΓｉと、勾配によって減少させられるΔｉは、別々に解かれる。上述の２つの値は、重みについての２次形式であり、上に開いた２次形式である。実施形態２では、各ユーザについて、信号が強化され、干渉が減少させられる最適な方向から、選択が実行されるが、そのようなアルゴリズムを用いる場合、２つのユーザ間の相互に排他的な挙動が、生じることがある。例えば、ユーザ１の信号が強化される方向は、ユーザ２に対する干渉が強化される方向である。この実施形態では、調整が実行され、例えば、重みの調整が、排除方法を使用することによって、例えば、各ユーザ機器について、（Ｎ−１）／２個の相互に直交する方向であって、ユーザ機器ｉの信号電力Γｉを減少させるこれらの方向を除外し、各ユーザ機器について、（Ｎ−１）／２個の相互に直交する方向であって、ユーザ機器ｉの干渉電力Δｉを増加させるこれらの方向を除外し、最後のユーザ機器については、１方向少なく除外されてよいが、各ユーザ機器について、そのようなＮ−１個の方向を除外することによって、決定される。このように、残りの方向では、各ユーザについて、信号電力は増加し、干渉電力は増加しないことが保証される。
【００７４】
２０４：サイトｋが、ユーザ機器ｉのアクティブセット内のサイトである場合、サイトｋは、計算を通して獲得された加重値を使用することによって、ユーザ機器ｉに信号を送信する。
【００７５】
サイトが、ユーザ機器ｉのアクティブセット内のサイトでない場合、信号は、ユーザ機器ｉに送信される必要はない。
【００７６】
この実施形態では、サイトが、Ｘ個のアンテナを使用する場合、重み
（外６８）
2017522753.tif 000072
は、すべて、Ｘ次元の列ベクトルであり、Ｎ×Ｍ個の重みは、Ｎ×Ｍ×Ｘ次元の列ベクトルを構成する。ステップ２０２では、Ｍ個の制約条件が、さらに取り除かれ、直交部分空間は、Ｎ×Ｍ×Ｘ−Ｍ次元のベクトル空間である。比較すると、複数のアンテナの場合、より大きい直交部分空間が存在し、したがって、合致する重みは、より容易に見つけられる。
【００７７】
以下の記述は、ステップ２０３で、各ユーザ機器のアクティブセット内の任意のアクティブサイトの重み部分空間内で１つの加重値をいかに決定すべきかを、例を使用することによって、説明する。
【００７８】
本明細書では、説明は、Ｍ＝３個のユーザ機器、Ｎ＝４個のサイト、各サイトに単一のアンテナが存在し、サイトｋによってユーザ機器ｉに送信される信号は、重み
（外６９）
2017522753.tif 000073
を使用することによって重み付けられなければならず、
（外７０）
2017522753.tif 000074
は、複素数である、例を使用することによって提供される。このように、Ｍ×Ｎ＝４×３＝１２個の重みが存在し、それらは、値空間がＣ１２である、１２次元の１つの重みベクトルを構成する。１つの例を使用することによって、説明が提供される。
【００７９】
アクティブセット関連係数は以下のようであることが仮定される。
【表３】
2017522753.tif 000075
【００８０】
干渉セット関連係数は以下のようであることが仮定される。
【表４】
2017522753.tif 000076
【００８１】
任意選択的な実施方法では、ユーザ機器ｉについて、
（外７１）
2017522753.tif 000077
のような式を満たすユーザ機器ｉの重みについての制約は、
ユーザ機器１についての制約条件：
（外７２）
2017522753.tif 000078
ユーザ機器２についての制約条件：
（外７３）
2017522753.tif 000079
ユーザ機器３についての制約条件：
（外７４）
2017522753.tif 000080
である。
【００８２】
行列制約を使用することによって、上述の制約条件は、重みベクトル（すなわち、１２次元）行列条件として、展開されることができる。
（外７５）
2017522753.tif 000081
【００８３】
Ｃ１２ユークリッド空間では、３つの制約条件のせいで、部分空間Ｔは、１つのＣ９ユークリッド部分空間として解かれる。
【００８４】
網羅的な方法が使用され、共通のアルゴリズムは、固定小数点演算であるので、したがって、上述の制約の下では、それの探索部分空間内で探索される重みは、有限の数の重みを有する空間である。それの探索アルゴリズムは、以下の通りである。
【００８５】
各重みについて、最初に、各ユーザ信号及び各干渉信号が、以下のように別々に計算される。
【００８６】
ユーザ信号
（外７６）
2017522753.tif 000082
は、各ユーザについて、以下のように展開される。
ユーザ１の信号：
（外７７）
2017522753.tif 000083
ユーザ２の信号：
（外７８）
2017522753.tif 000084
ユーザ３の信号：
（外７９）
2017522753.tif 000085
【００８７】
別のユーザによってユーザ機器ｉに対して引き起こされる干渉について、アクティブセットの干渉は、完全に除去されるので、干渉セットのみが、
（外８０）
2017522753.tif 000086
のように考慮され、これは、各ユーザ機器について、以下のように展開される。
ユーザ１の干渉信号：
（外８１）
2017522753.tif 000087
ユーザ２の干渉信号：
（外８２）
2017522753.tif 000088
ユーザ３の干渉信号：
（外８３）
2017522753.tif 000089
【００８８】
各ユーザの信号対雑音比（ｓｉｇｎａｌ−ｔｏ−ｎｏｉｓｅ  ｒａｔｉｏ，ＳＮＲ）は、ＳＮＲｉ＝｜｜Ｓｉ｜｜２／（｜｜Ｉｉ｜｜２＋Ｎｉ）に等しい。
【００８９】
詳細なアルゴリズムは、以下の通りであり、それは、Ｃｍａｘ＝０であるように初期化され、その後、
（１）各重みについて、各ユーザのスループットが、シャノンの公式Ｃｉ＝ｌｏｇ（１＋ＳＮＲｉ），ｉ＝１，２，又は３に従って計算され、すべてのスループットの和は、Ｃ＝Ｃ１＋Ｃ２＋Ｃ３であり、
（２）Ｃｉ≦Ｔｉ，ｉ＝１，２，又は３である場合、ベクトルのこのグループは、廃棄され、ベクトルの次のグループが、検討され、
（３）そうではなく、Ｃ≦Ｃｍａｘである場合、ベクトルのこのグループは、廃棄され、ベクトルの次のグループが、検討される。
（４）Ｃ＞Ｃｍａｘである場合、ベクトルのこのグループは、記憶され、メモリ空間内に先に記憶されたベクトルを置き換える。
【００９０】
任意選択的な実施方法では、上述の計算された重みベクトルは、
（外８４）
2017522753.tif 000090
である。
【００９１】
したがって、部分空間Ｔは、その基底が、
（外８５）
2017522753.tif 000091
に設定され、各
（外８６）
2017522753.tif 000092
は、１２次元の列ベクトルである、１つのＣ９ユークリッド部分空間として解かれることが仮定される。各候補ベクトル
（外８７）
2017522753.tif 000093
は、
（外８８）
2017522753.tif 000094
の線形和として表されることができる。
（外８９）
2017522753.tif 000095
であり、各λｉは、複素数であり、
ユーザ１の信号：
（外９０）
2017522753.tif 000096
ユーザ２の信号：
（外９１）
2017522753.tif 000097
ユーザ３の信号：
（外９２）
2017522753.tif 000098
である。
【００９２】
信号は、行列と
（外９３）
2017522753.tif 000099
の和として、例えば、
（外９４）
2017522753.tif 000100
として表されることができる。
【００９３】
（外９５）
2017522753.tif 000101
であり、これは、λｉについての２次形式であり、同様に、
（外９６）
2017522753.tif 000102
及び
（外９７）
2017522753.tif 000103
である。
【００９４】
同様に
ユーザ１の干渉信号：
（外９８）
2017522753.tif 000104
ユーザ２の干渉信号：
（外９９）
2017522753.tif 000105
ユーザ３の干渉信号：
（外１００）
2017522753.tif 000106
である。
【００９５】
干渉信号の累乗は、λｉについての２次形式として表され、
（外１０１）
2017522753.tif 000107
（外１０２）
2017522753.tif 000108
（外１０３）
2017522753.tif 000109
である。
【００９６】
初期値について、それは、
（外１０４）
2017522753.tif 000110
ここで、ｉ＝１…９のように初期化されることができる。
各Γ１について、１つのＣ９ベクトルが、存在し、
（外１０５）
2017522753.tif 000111
におけるΓ１の増加が、最速であり、言い換えると、
（外１０６）
2017522753.tif 000112
であり、Ξは、アルゴリズムの調整ステップに等しい。本明細書では、Γ１について、最大調整方向は、
（外１０７）
2017522753.tif 000113
に設定され、同様に、Γ２及びΓ３について、最適調整方向は、それぞれ、
（外１０８）
2017522753.tif 000114
及び
（外１０９）
2017522753.tif 000115
である。干渉信号の場合、Δ１が減少する方向が、選択され、最大減少方向は、
（外１１０）
2017522753.tif 000116
に設定され、同様に、Δ２及びΔ３について、
（外１１１）
2017522753.tif 000117
及び
（外１１２）
2017522753.tif 000118
が、それぞれ選択される。
【００９７】
したがって、総合的な最適調整ベクトルのために、
（外１１３）
2017522753.tif 000119
が、選択され、本明細書では、それは、
（外１１４）
2017522753.tif 000120
の絶対値を正規化することがさらに必要であり、すなわち、最終的に、
（外１１５）
2017522753.tif 000121
であることが留意されるべきである。
【００９８】
任意選択的な実施方法では、上述の計算された重みベクトルは、
（外１１６）
2017522753.tif 000122
である。
【００９９】
したがって、部分空間Ｔは、その基底が、
（外１１７）
2017522753.tif 000123
であり、各
（外１１８）
2017522753.tif 000124
は、１２次元の列ベクトルである、１つのＣ９ユークリッド部分空間として解かれることが仮定される。各候補ベクトル
（外１１９）
2017522753.tif 000125
は、
（外１２０）
2017522753.tif 000126
の線形和として表されることができる。
（外１２１）
2017522753.tif 000127
であり、各λｉは、複素数であり、
ユーザ１の信号：
（外１２２）
2017522753.tif 000128
ユーザ２の信号：
（外１２３）
2017522753.tif 000129
ユーザ３の信号：
（外１２４）
2017522753.tif 000130
である。
【０１００】
信号は、行列と
（外１２５）
2017522753.tif 000131
の和として、例えば、
（外１２６）
2017522753.tif 000132
として表されることができる。
【０１０１】
（外１２７）
2017522753.tif 000133
であり、これは、λｉについての２次形式であり、同様に、
（外１２８）
2017522753.tif 000134
及び
（外１２９）
2017522753.tif 000135
である。
【０１０２】
同様に
ユーザ１の干渉信号：
（外１３０）
2017522753.tif 000136
ユーザ２の干渉信号：
（外１３１）
2017522753.tif 000137
ユーザ３の干渉信号：
（外１３２）
2017522753.tif 000138
のように計算される。
【０１０３】
干渉信号の累乗は、λｉについての２次形式として表され、
（外１３３）
2017522753.tif 000139
（外１３４）
2017522753.tif 000140
（外１３５）
2017522753.tif 000141
である。
【０１０４】
簡単な説明のために、毎回、１つの方向が、除外される。
【０１０５】
（外１３６）
2017522753.tif 000142
ベクトルは、上と同じ方法で選択され、最初に、１つの
（外１３７）
2017522753.tif 000143
方向が、計算され、この方向は、重み
（外１３８）
2017522753.tif 000144
が使用された場合に、Γ１が、最も大きく減少する方向である。空間Ｕ１は、この空間内の各ベクトルと
（外１３９）
2017522753.tif 000145
との間の内積が０である、Ｃ９部分空間であり、Γ２が最も大きく減少する別の方向
（外１４０）
2017522753.tif 000146
が、Ｕ１内でさらに選択されることができ、次に、部分空間Ｕ２が、Ｕ１内で選択され、Ｕ２内の各ベクトルと
（外１４１）
2017522753.tif 000147
との間の内積は、０であり、本明細書では、Ｕ２は、Ｃ９部分空間であり、部分空間の次元は、９−２＝７次元を有するように設定される。同様に、Γ３について、６次元の空間であるＵ３を獲得するために、１つの方向が、除外される。
【０１０６】
同様に、Δｉ（ｉ＝１，２，３）について、Δｉが増加する１つの方向が、除外され、その後、最終的に、３次元の空間であるＵ６が、獲得される。
【０１０７】
方法１：調整のために、１つの方向が、Ｕ６内で選択されることができる。
【０１０８】
方法２：１次元のベクトルであるＵ８を獲得するために、１つの方向が、Γ１及びΓ２に別々に基づいて取り除かれ、その後、このベクトルのみが、
（外１４２）
2017522753.tif 000148
のために選択されることができることが、さらに選択されることができる。
【０１０９】
すべての最終調整ベクトルについて、絶対値が、ステップに等しくなるように正規化される必要があり、すなわち、
（外１４３）
2017522753.tif 000149
であることが留意されるべきである。
【０１１０】
本発明のこの実施形態で提供される信号処理方法は、階層的干渉抑制及びビームフォーミングの新しいアルゴリズムであり、アクティブセット内でのユーザ機器間のゼロ干渉に基づいて、干渉セット内でのユーザ間の干渉の最大限の抑制を実施することができる。無線中心のネットワーキングでは、方法は、すべてのユーザ機器が、同じ時間に同じ周波数帯域を使用することを可能にすることができ、理論的には、１０００倍の性能ゲインのために、システム容量を増加させることができる。
【０１１１】
干渉セットの干渉抑制については、勾配アルゴリズムに加えて、いくつかの標準的な干渉抑制アルゴリズムが、さらに含まれることができ、本発明は、それらに、例えば、ＭＭＳＥ、ＩＲＴ、及びＮｕｌｌ  ｆｏｒｍｉｎｇなどのアルゴリズムに限定されず、これらのアルゴリズムは、よく知られたアルゴリズムであり、当該技術分野のすべてのアルゴリズムエンジニアは、これらのアルゴリズムを、本特許において提案される階層的干渉除去によって高密度及び高電力を達成する無線通信システムに適用することができる。したがって、通信システムの容量が、改善される。
【０１１２】
図３は、本発明の実施形態による信号処理装置の概略構造図である。図３に示されるように、装置は、
Ｍ個のユーザ機器において、ユーザ機器ｉのアクティブセットＫｉ及び干渉セットＫ’ｉを、ユーザ機器ｉからＮ個のサイトまでの電力測定値に従って決定するように構成された第１の決定モジュール３１であって、ユーザ機器ｉのアクティブセットＫｉは、所望の信号をユーザ機器ｉに提供するアクティブサイトの識別子ｋｉを含み、ユーザ機器ｉの干渉セットＫ’ｉは、干渉信号をユーザ機器に提供する干渉サイトの識別子ｋ’ｉを含み、ｋｉ∈Ｋｉ、ｋ’ｉ∈Ｋ’ｉ、ｉ＝１，２，．．．Ｍであり、Ｍは、１以上の整数であり、Ｎは、１以上の整数である、第１の決定モジュール３１と、
第１の決定モジュールによって決定されたアクティブセット及び干渉セットに基づいて、ユーザ機器ｉのアクティブセットＫｉについて、重みの１つの制約条件を獲得するために、すべてのアクティブサイトｋｉのすべての他のユーザ機器ｊの送信信号の重ね合わせを互いに相殺させ、Ｍ個のユーザ機器について、Ｍ個の制約条件を獲得し、重み部分空間Ｔを決定するように構成された第２の決定モジュール３２であって、重み部分空間は、Ｍ個の重みを含み、ｊは、Ｍ個のユーザ機器のうちのユーザ機器ｉ以外の別のユーザ機器を表し、ｊ＝１，２，．．．Ｍ、ｊ≠ｉである、第２の決定モジュール３２と、
各ユーザ機器のアクティブセット内のいずれのアクティブサイトも、１つの加重値を決定し、対応するアクティブサイトが信号をＭ個のユーザ機器に送信するために使用する重みとして、加重値を使用するように、第２の決定モジュールによって決定された重み部分空間に基づいて、ユーザ機器ｉの干渉セットＫ’ｉ内での別のユーザ機器ｊのユーザ機器ｉに対する干渉信号、及びユーザ機器ｉのアクティブセットＫｉ内でのユーザ機器ｉの所望の信号に従って、重み部分空間内で１つの重みを決定するように構成された第３の決定モジュール３３と
を含む。
【０１１３】
任意選択的に、第１の決定モジュール３１は、
Ｍ個のユーザ機器において、ユーザ機器ｉからＮ個のサイトまでの電力測定値に従って、ユーザ機器ｉからサイトｋまでの電力測定値が、事前設定されたアクティブ化閾値以上である場合、サイトｋをユーザ機器ｉのアクティブサイトｋｉとして決定し、サイトｋをユーザ機器ｉのアクティブセットＫｉに追加し、ｋ＝１，２，．．．Ｎ、ｋｉ＝１，２，．．．Ｎである、又は
ユーザ機器ｉからサイトｋまでの電力測定値が、事前設定されたアクティブ化閾値よりも小さく、事前設定された干渉閾値以上である場合、サイトｋをユーザ機器ｉの干渉サイトｋ’ｉとして決定し、サイトｋをユーザ機器ｉの干渉セットＫ’ｉに追加する、
ように特に構成される。
【０１１４】
任意選択的に、第２の決定モジュール３２によって獲得される重みの制約条件は、
（外１４４）
2017522753.tif 000150
ここで、ｉ＝１，２，．．．Ｍ、ｊ＝１，２，．．．Ｍ、ｊ≠ｉであり、
ｉは、ユーザ機器ｉの識別子であり、ｋｉは、ユーザ機器ｉのアクティブセット内のアクティブサイトの識別子であり、
（外１４５）
2017522753.tif 000151
は、ユーザ機器ｉからアクティブサイトｋｉまでのチャネル測定値であり、
（外１４６）
2017522753.tif 000152
は、１又は０に等しく、ユーザ機器ｉのアクティブサイトｋｉが、別のユーザ機器ｊのアクティブサイトである場合、
（外１４７）
2017522753.tif 000153
は、１に等しく、ユーザ機器ｉのアクティブサイトｋｉが、別のユーザ機器ｊのアクティブサイトでない場合、
（外１４８）
2017522753.tif 000154
は、０に等しく、
（外１４９）
2017522753.tif 000155
は、ユーザ機器ｊからユーザ機器ｉのアクティブサイトｋｉまでの電力測定値であり、
（外１５０）
2017522753.tif 000156
は、１又は０に等しく、サイトｋが、ユーザ機器ｉのアクティブサイトである場合、
（外１５１）
2017522753.tif 000157
は、１に等しく、サイトｋが、ユーザ機器ｉのアクティブサイトでない場合、
（外１５２）
2017522753.tif 000158
は、０に等しく、
（外１５３）
2017522753.tif 000159
は、信号を別のユーザ機器ｊに送信する場合に、ユーザ機器ｉのアクティブサイトｋｉによって使用される重みである。
【０１１５】
任意選択的に、第３の決定モジュール３３は、
ユーザ機器ｉの干渉セットＫ’ｉ内での別のユーザ機器ｊのユーザ機器ｉに対する干渉信号を
（外１５４）
2017522753.tif 000160
のように計算し、
ユーザ機器ｉのアクティブセットＫｉ内でのユーザ機器ｉの所望の信号を
（外１５５）
2017522753.tif 000161
のように計算し、
Ｍ個の最大重みの目標値を、ａｒｇｍａｘ｜｜Ｓｉ｜｜２／（｜｜Ｉｉ｜｜２＋Ｎｉ）に従って決定し、Ｍ個の最大重みの目標値の平均値を計算し、平均値をアクティブサイトｋｉによって使用される加重値として使用し、Ｎｉは、ユーザ機器ｉに対応するノイズである、
ように特に構成される。
【０１１６】
任意選択的に、第３の決定モジュール３３は、
ユーザ機器ｉの干渉セットＫ’ｉ内での別のユーザ機器ｊのユーザ機器ｉに対する干渉信号の電力を
（外１５６）
2017522753.tif 000162
のように計算し、
ユーザ機器ｉのアクティブセット内でのユーザ機器ｉの所望の信号の電力を
（外１５７）
2017522753.tif 000163
のように計算し、
アクティブサイトｋｉの重み部分空間内で、Δｉの最小値及びΓｉの最大値に対応する重みを、アクティブサイトｋｉによって使用される加重値として使用する、
ように特に構成される。
【０１１７】
任意選択的に、第３の決定モジュール３３は、
ユーザ機器ｉの干渉セットＫ’ｉ内での別のユーザ機器ｊのユーザ機器ｉに対する干渉信号の電力を
（外１５８）
2017522753.tif 000164
のように計算し、
ユーザ機器ｉのアクティブセット内でのユーザ機器ｉの所望の信号の電力を
（外１５９）
2017522753.tif 000165
のように計算し、
重み部分空間内で、ユーザ機器ｉの干渉信号の電力Δｉが増加する方向から相互に直交する１又は複数の方向を除外し、ユーザ機器ｉの所望の信号の電力が減少する方向Γｉから相互に直交する１又は複数を除外し、最後に残った方向に対応する重みを、アクティブサイトｋｉによって使用される加重値として使用する、
ように特に構成される。
【０１１８】
任意選択的に、適応調整が、サイト送信電力の調整量に基づいて、ユーザ復調能力の調整量に基づいて、基地局復調能力の調整量に基づいて、及び／又はベアラシステムの調整量に基づいて、公称電力に対応するアクティブ化閾値に従って、アクティブ化閾値に対して実行され、
適応調整が、サイト送信電力の調整量に基づいて、ユーザ復調能力の調整量に基づいて、基地局復調能力の調整量に基づいて、及び／又はベアラシステムの調整量に基づいて、公称電力に対応する干渉閾値に従って、干渉閾値に対して実行される。
【０１１９】
任意選択的に、装置は、
対応するアクティブサイトが、決定された加重値を使用することによって、同じ時間に同じ周波数でＭ個のユーザ機器に信号を送信するように、第３の決定モジュール３３によって決定された加重値を対応するアクティブサイトに送信するように構成された送信モジュール３４
をさらに含む。
【０１２０】
この実施形態の装置の技術的効果は、図１又は図２に示された実施形態の信号処理方法のそれらと同じであり、詳細は、再びは提供されない。
【０１２１】
図４は、本発明の実施形態による信号処理システムの概略構造図である。図４に示されるように、システムは、データセンタサーバ４１と、Ｎ個のサイト４２と、Ｍ個のユーザ機器４３とを含み、
データセンタサーバは、図３に示された実施形態の信号処理装置を含み、
Ｍ個のユーザ機器のうちの各ユーザ機器は、ユーザ機器からＮ個のサイトまでのチャネル測定値及び電力測定値を測定し、測定を通して獲得されたユーザ機器からＮ個のサイトまでのチャネル測定値及び電力測定値を、対応するサイトに送信するように構成され、
Ｎ個のサイトのうちの各サイトは、サイトからＭ個のユーザ機器までのチャネル測定値及び電力測定値を検出するように、又はＭ個のユーザ機器によって送信されたＭ個のユーザ機器からサイトまでのチャネル測定値及び電力測定値を別々に受信するように構成され、
Ｎ個のサイトのうちの各サイトは、サーバが図１又は図２に示された実施形態の信号処理方法を実行するように、サイトからＭ個のユーザ機器までのチャネル測定値及び電力測定値をデータセンタサーバに送信するようにさらに構成される。
【０１２２】
任意選択的に、データセンタサーバは、サイトに対応するユーザ機器スケジューリング情報を決定し、サイトに対応するユーザ機器スケジューリング情報に従って、ユーザ機器の送信信号のグルーピング、及びサイトについての波形合成を実行するようにさらに構成され、
データセンタサーバは、サイトに対応し、図１又は図２に示された実施形態の信号処理方法を使用することによって獲得された、加重値に従って、ユーザ機器波形の計算、重みの重み付け、及びユーザ機器波形の重み付けを実行するようにさらに構成される。
【０１２３】
任意選択的に、データセンタサーバは、サイトが、対応するサイト波形、ユーザ機器波形、及び加重値に従って、信号をユーザ機器に送信するように、合成されたサイト波形、計算されたユーザ機器波形、及び加重値を、対応するサイトに送信するようにさらに構成され、
データセンタサーバは、サイトによって送信された信号に従ったアップリンク処理、ユーザ機器の送信信号のグルーピング、及びユーザ機器波形の重み付けを実行するようにさらに構成される。
【０１２４】
任意選択的に、Ｎ個のサイトのうちの各サイトは、データセンタサーバによって送信された加重値及びユーザスケジューリング情報に従って、ユーザ機器波形の計算、及び重みの重み付けを実行し、サイト波形の計算を実行し、サイト波形、ユーザ機器波形、及び加重値に従って、信号をユーザ機器に送信するようにさらに構成される。
【０１２５】
以下の記述は、添付の図面を使用することによって、この実施形態のシステムによって実行される信号処理の特定のプロセスについて説明する。図５は、本発明のこの実施形態のシステムによって実行される信号処理の概略フローチャートである。図５に示されるように、プロセスは、以下を含む。
【０１２６】
ステップ１：すべてのサイトからユーザ機器までのチャネル上でチャネルパルス測定及び電力測定を実行し、方法１では、ユーザ機器が、測定を実行し、チャネルパルス及び電力をサイトに報告することができ、方法２では、基地局自体が、測定を実行することができる。
【０１２７】
ステップ２：無線転送ネットワークを使用することによって、測定値をネットワークシステムのデータセンタに報告する。
【０１２８】
ステップ３：データセンタが、上述の測定値及び決定閾値に従って、各ユーザ機器についてのアクティブセット、干渉セット、及びＩｄｌｅセットを計算する。
【０１２９】
ステップ４：データセンタが、各ユーザ機器のアクティブセット内でサイトによって送信された別のユーザ信号が０干渉を引き起こすことを保証するための、重みを計算する。
【０１３０】
ステップ５：データセンタが、干渉セット内で別のユーザ信号によってユーザ信号に対して引き起こされる干渉をさらに抑制するための、重みを計算する。
【０１３１】
ステップ６：データセンタが、ユーザベアラ信号を生成し、ベアラ信号は、例えば、ＣＤＭＡ信号又はＬＴＥ信号である。
【０１３２】
ステップ７：各ユーザ機器ｉについて、データセンタが、重み
（外１６０）
2017522753.tif 000166
を使用することによって、ユーザ機器のベアラ信号の重み付けを行って、サイトｋの物理的波形を生成する。
【０１３３】
ステップ８：各サイトについて、データセンタが、アクティブセットとしてサイトを利用するユーザの信号を合併して、サイトの物理的波形を生成する。
【０１３４】
ステップ９：データセンタが、無線転送ネットワークを使用することによって、サイトの物理的波形をサイトに転送する。
【０１３５】
ステップ１０：サイトが、物理的波形の同期、アップコンバージョン、信号増幅を実行し、信号をユーザに送信する。
【０１３６】
本発明の実施形態は、２つのシステムアーキテクチャ図をさらに提供し、それらは、別々に、分散信号処理のためのデータセンタのネットワークシステムアーキテクチャ図、及び高度に集中化された信号処理のためのデータセンタのネットワークシステムアーキテクチャ図である。
【０１３７】
図６は、本発明の実施形態による分散信号処理のためのデータセンタのネットワークシステムアーキテクチャ図である。図６に示されるように、サイトは、データセンタサーバによって送信された加重値及びユーザスケジューリング情報に従って、ユーザ機器波形の計算、及び重みの重み付けを実行し、サイト波形の計算を実行し、サイト波形、ユーザ機器波形、及び加重値に従って、信号をユーザ機器に送信するようにさらに構成され、すなわち、ユーザデータ信号処理は、部分的にサイトに委譲され、重み計算及びユーザスケジューリング機能のみが、データセンタによって相変わらず実行される。アップリンク処理の場合、データセンタのみが、ユーザ信号の大域的合併を実行することができ、サイトｋ上でのユーザ機器ｉのためのアップリンク重み付けの一部は、サイト上で実行され、その後、信号が、データセンタにアップロードされ、データセンタは、ユーザ機器ｉのすべてのデータ信号を合併し、次に、ＬＴＥ又はＣＤＭＡアップリンク処理を実行する。
【０１３８】
しかしながら、上述の図６に示されたシステムアーキテクチャでは、第一に、ユーザデータ信号処理の一部が、サイトに委譲され、無線サイトは、各ユーザデータ信号を獲得することができ、したがって、ユーザデータ信号のセキュリティリスクの問題が、存在し、
第二に、サイトｋ上でのユーザ機器ｉのためのアップリンク重み付けの一部は、サイト上で実行され、その後、信号が、データセンタにアップロードされ、データセンタは、ユーザ機器ｉのすべてのデータ信号を合併するが、これは、データセンタとサイトとの間で転送されるデータの量を増加させ、ネットワーク帯域幅を浪費する。
【０１３９】
図６に示されたシステムに存在する上述の問題を解決するために、本発明の実施形態は、高度に集中化された信号処理のためのデータセンタのネットワークシステムアーキテクチャを提供する。図７−１は、本発明の実施形態による高度に集中化された信号処理のためのデータセンタのネットワークシステムアーキテクチャにおけるサイト動作原理の概略図であり、図７−１に示されるように、サイトの機能は、データセンタによって計算されたユーザデータ信号に対するアップコンバージョンを実行し、その後、無線周波数増幅器を使用することによってユーザデータを送信した後、アンテナを使用することによって信号を送信することである。加えて、サイトは、ユーザ機器によって測定されたチャネル及び電力値をデータセンタに報告することを担う。ユーザ機器によって送信された信号を受信するため、ダウンコンバージョンが実行された後、データ信号が、データセンタに直接的に送られる。動作は、通常、サイト内の無線周波数ユニット、デジタルユニット、クロックユニット、及び送信ユニットによって遂行されることができる。
【０１４０】
図７−２は、本発明の実施形態による高度に集中化された信号処理のためのデータセンタのネットワークシステムアーキテクチャにおけるデータセンタ動作原理の概略図である。データセンタは、図１又は図２に示された上述の実施形態の信号処理方法を実行することができ、実際の応用では、ソフトウェア無線アルゴリズムに基づいた処理システムアーキテクチャである。データセンタの処理機能について、図７−２を参照する。詳細は、再びは提供されない。データセンタは、各サイトによって送信されるユーザデータ信号を計算しており、したがって、第一に、データセンタとサイトとの間で転送されるユーザデータ信号は、削減されて、ネットワーク帯域幅を節約することができ、第二に、データセンタのみが、各ユーザ機器のユーザデータ信号を従属サイトから獲得することができ、ユーザデータ信号のセキュリティを保証することが、図７−２から分かる。
【０１４１】
本出願で提供されたいくつかの実施形態では、開示されたシステム、装置、及び方法は、他の方法で実施されることができることが理解されるべきである。例えば、説明された装置実施形態は、例示であるにすぎない。例えば、ユニット分割は、論理的な機能分割であるにすぎず、実際の実施では他の分割とすることができる。例えば、複数のユニット又はコンポーネントは、組み合わされること、若しくは別のシステム内に統合されることができ、又はいくつかの特徴は、無視されてよく、若しくは実行されなくてよい。加えて、表示又は説明された相互結合若しくは直接結合又は通信接続は、いくつかのインターフェースを通して実施されることができる。装置間又はユニット間の間接結合又は通信接続は、電子的、機械的、又は他の形態で実施されることができる。
【０１４２】
別々の部分として説明されたユニットは、物理的に別々であってよく、又は物理的に別々でなくてよく、ユニットとして表示された部分は、物理的ユニットであってよく、若しくは物理的ユニットでなくてよく、１つの位置に配置されることができ、又は複数のネットワークユニット上に分散されることができる。ユニットのいくつか又はすべては、実施形態の解決策の目的を達成するために、実際の必要に従って選択されることができる。
【０１４３】
加えて、本発明の実施形態の機能ユニットは、１つの処理ユニット内に統合されることができ、又はユニットの各々は、物理的に単独で存在することができ、又は２つ以上のユニットは、１つのユニット内に統合される。統合ユニットは、ハードウェアの形態で実装されることができ、又はソフトウェア機能ユニットに加えて、ハードウェアの形態で実装されることができる。
【０１４４】
上述の統合ユニットが、ソフトウェア機能ユニットの形態で実装される場合、統合ユニットは、コンピュータ可読記憶媒体内にコードの形態で記憶されることができる。上述のコードは、コンピュータ可読記憶媒体内に記憶され、本発明の実施形態の方法のいくつか又はすべてのステップを実行するようにプロセッサ又はハードウェア回路に命令するためのいくつかの命令を含む。上述の記憶媒体は、ユニバーサルシリアルバスインターフェースを備え、超小型であり、高容量を有し、物理ドライブを必要としないモバイルストレージディスク、着脱可能ハードディスク、リードオンリーメモリ（Ｒｅａｄ−Ｏｎｌｙ  Ｍｅｍｏｒｙ，略称ＲＯＭ）、ランダムアクセスメモリ（Ｒａｎｄｏｍ  Ａｃｃｅｓｓ  Ｍｅｍｏｒｙ，略称ＲＡＭ）、磁気ディスク、又は光ディスクなどの、プログラムコードを記憶することができる任意の媒体を含む。
【０１４５】
最後に、上述の実施形態は、本発明の技術的解決策を説明するために意図されているにすぎず、本発明を限定するためには意図されていないことが留意されるべきである。本発明が、上述の実施形態を参照して詳細に説明されたが、当業者は、自分たちが、本発明の実施形態の技術的解決策の保護範囲から逸脱することなく、さらに、上述の実施形態で説明された技術的解決策に対して変更を施すこと、又はそれらのいくつかの技術的特徴に対して等価な置換を施すことができることを理解すべきである。
【図１】
2017522753.tif 000199
【図２】
2017522753.tif 000200
【図３】
2017522753.tif 000201
【図４】
2017522753.tif 000202
【図５】
2017522753.tif 000203
【図６】
2017522753.tif 000204
【図７−１】
2017522753.tif 000205
【図７−２】
2017522753.tif 000206
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
Ｍ個のユーザ機器において、ユーザ機器ｉのアクティブセットＫｉ及び干渉セットＫ’ｉを、前記ユーザ機器ｉからＮ個のサイトまでの電力測定値に従って決定するステップであって、前記ユーザ機器ｉの前記アクティブセットＫｉは、所望の信号を前記ユーザ機器ｉに提供するアクティブサイトの識別子ｋｉを含み、前記ユーザ機器ｉの前記干渉セットＫ’ｉは、干渉信号を前記ユーザ機器に提供する干渉サイトの識別子ｋ’ｉを含み、ｋｉ∈Ｋｉ、ｋ’ｉ∈Ｋ’ｉ、ｉ＝１，２，．．．Ｍであり、Ｍは、１以上の整数であり、Ｎは、１以上の整数である、ステップと、
前記ユーザ機器ｉの前記アクティブセットＫｉについて、重みの１つの制約条件を獲得するために、すべてのアクティブサイトｋｉのすべての他のユーザ機器ｊの送信信号の重ね合わせを互いに相殺させ、前記Ｍ個のユーザ機器について、Ｍ個の制約条件を獲得し、重み部分空間Ｔを決定するステップであって、前記重み部分空間は、Ｍ個の重みを含み、ｊは、前記Ｍ個のユーザ機器のうちの前記ユーザ機器ｉ以外の別のユーザ機器を表し、ｊ＝１，２，．．．Ｍ、ｊ≠ｉである、ステップと、
各ユーザ機器のアクティブセット内のいずれのアクティブサイトも、１つの加重値を決定し、対応するアクティブサイトが信号を前記Ｍ個のユーザ機器に送信するために使用する重みとして、前記加重値を使用するように、前記ユーザ機器ｉの前記干渉セットＫ’ｉ内での別のユーザ機器ｊの前記ユーザ機器ｉに対する干渉信号、及び前記ユーザ機器ｉの前記アクティブセットＫｉ内での前記ユーザ機器ｉの所望の信号に従って、前記重み部分空間内で１つの重みを決定するステップと、
を含む信号処理方法。
【請求項２】
Ｍ個のユーザ機器において、ユーザ機器ｉのアクティブセットＫｉ及び干渉セットＫ’ｉを、前記ユーザ機器ｉからＮ個のサイトまでの電力測定値に従って決定する前記ステップは、
前記Ｍ個のユーザ機器において、前記ユーザ機器ｉから前記Ｎ個のサイトまでの前記電力測定値に従って、前記ユーザ機器ｉからサイトｋまでの電力測定値が、事前設定されたアクティブ化閾値以上である場合、前記サイトｋを前記ユーザ機器ｉのアクティブサイトｋｉとして決定し、前記サイトｋを前記ユーザ機器ｉの前記アクティブセットＫｉに追加するステップであって、ｋ＝１，２，．．．Ｎ、ｋｉ＝１，２，．．．Ｎである、ステップ、又は
前記ユーザ機器ｉからサイトｋまでの電力測定値が、事前設定されたアクティブ化閾値よりも小さく、事前設定された干渉閾値以上である場合、前記サイトｋを前記ユーザ機器ｉの干渉サイトｋ’ｉとして決定し、前記サイトｋを前記ユーザ機器ｉの前記干渉セットＫ’ｉに追加するステップ、
を含む、請求項１に記載の方法。
【請求項３】
前記ユーザ機器ｉの前記アクティブセットＫｉについて、すべての前記アクティブサイトｋｉのすべての前記他のユーザ機器ｊの前記送信信号の前記重ね合わせを互いに相殺させることによって獲得される、前記重みの前記制約条件は、
（外１６１）
2017522753.tif 000207
ここで、ｉ＝１，２，．．．Ｍ、ｊ＝１，２，．．．Ｍ、ｊ≠ｉ
であり、
ｉは、前記ユーザ機器ｉの識別子であり、ｋｉは、前記ユーザ機器ｉの前記アクティブセット内のアクティブサイトの識別子であり、
（外１６２）
2017522753.tif 000208
は、前記ユーザ機器ｉから前記アクティブサイトｋｉまでのチャネル測定値であり、
（外１６３）
2017522753.tif 000209
は、１又は０に等しく、前記ユーザ機器ｉの前記アクティブサイトｋｉが、別のユーザ機器ｊのアクティブサイトである場合、
（外１６４）
2017522753.tif 000210
は、１に等しく、前記ユーザ機器ｉの前記アクティブサイトｋｉが、別のユーザ機器ｊのアクティブサイトでない場合、
（外１６５）
2017522753.tif 000211
は、０に等しく、
（外１６６）
2017522753.tif 000212
は、前記ユーザ機器ｊから前記ユーザ機器ｉの前記アクティブサイトｋｉまでの電力測定値であり、
（外１６７）
2017522753.tif 000213
は、１又は０に等しく、前記サイトｋが、前記ユーザ機器ｉのアクティブサイトである場合、
（外１６８）
2017522753.tif 000214
は、１に等しく、前記サイトｋが、前記ユーザ機器ｉのアクティブサイトでない場合、
（外１６９）
2017522753.tif 000215
は、０に等しく、
（外１７０）
2017522753.tif 000216
は、信号を前記別のユーザ機器ｊに送信する場合に、前記ユーザ機器ｉの前記アクティブサイトｋｉによって使用される重みである、
請求項１又は２に記載の方法。
【請求項４】
前記ユーザ機器ｉの前記干渉セットＫ’ｉ内での別のユーザ機器ｊの前記ユーザ機器ｉに対する干渉信号、及び前記ユーザ機器ｉの前記アクティブセットＫｉ内での前記ユーザ機器ｉの所望の信号に従って、前記重み部分空間内で１つの重みを決定する前記ステップは、
前記ユーザ機器ｉの前記干渉セットＫ’ｉ内での前記別のユーザ機器ｊの前記ユーザ機器ｉに対する前記干渉信号を
（外１７１）
2017522753.tif 000217
のように計算するステップと、
前記ユーザ機器ｉの前記アクティブセット内での前記ユーザ機器ｉの前記所望の信号を
（外１７２）
2017522753.tif 000218
のように計算するステップと、
Ｍ個の最大重みの目標値を、ａｒｇｍａｘ｜｜Ｓｉ｜｜２／（｜｜Ｉｉ｜｜２＋Ｎｉ）に従って決定し、前記Ｍ個の最大重みの前記目標値の平均値を計算し、前記平均値を前記アクティブサイトｋｉによって使用される加重値として使用するステップであって、Ｎｉは、前記ユーザ機器ｉに対応するノイズである、ステップと
を含む、請求項３に記載の方法。
【請求項５】
前記ユーザ機器ｉの前記干渉セットＫ’ｉ内での別のユーザ機器ｊの前記ユーザ機器ｉに対する干渉信号、及び前記ユーザ機器ｉの前記アクティブセットＫｉ内での前記ユーザ機器ｉの所望の信号に従って、前記重み部分空間内で１つの重みを決定する前記ステップは、
前記ユーザ機器ｉの前記干渉セットＫ’ｉ内での前記別のユーザ機器ｊの前記ユーザ機器ｉに対する前記干渉信号の電力を
（外１７３）
2017522753.tif 000219
のように計算するステップと、
前記ユーザ機器ｉの前記アクティブセット内での前記ユーザ機器ｉの前記所望の信号の電力を
（外１７４）
2017522753.tif 000220
のように計算するステップと、
前記アクティブサイトｋｉの前記重み部分空間内で、Δｉの最小値及びΓｉの最大値に対応する重みを、前記アクティブサイトｋｉによって使用される加重値として使用するステップと、
を含む、請求項３に記載の方法。
【請求項６】
前記ユーザ機器ｉの前記干渉セットＫ’ｉ内での別のユーザ機器ｊの前記ユーザ機器ｉに対する干渉信号、及び前記ユーザ機器ｉの前記アクティブセットＫｉ内での前記ユーザ機器ｉの所望の信号に従って、前記重み部分空間内で１つの重みを決定する前記ステップは、
前記ユーザ機器ｉの前記干渉セットＫ’ｉ内での前記別のユーザ機器ｊの前記ユーザ機器ｉに対する前記干渉信号の電力を
（外１７５）
2017522753.tif 000221
のように計算するステップと、
前記ユーザ機器ｉの前記アクティブセット内での前記ユーザ機器ｉの前記所望の信号の電力を
（外１７６）
2017522753.tif 000222
のように計算するステップと、
前記重み部分空間内で、前記ユーザ機器ｉの前記干渉信号の前記電力Δｉが増加する方向から相互に直交する１又は複数の方向を除外し、前記ユーザ機器ｉの前記所望の信号の前記電力Γｉが減少する方向から相互に直交する１又は複数の方向を除外し、最後に残った方向に対応する重みを、前記アクティブサイトｋｉによって使用される加重値として使用するステップと、
を含む、請求項３に記載の方法。
【請求項７】
適応調整が、サイト送信電力の調整量に基づいて、ユーザ復調能力の調整量に基づいて、基地局復調能力の調整量に基づいて、及び／又はベアラシステムの調整量に基づいて、公称電力に対応するアクティブ化閾値に従って、前記アクティブ化閾値に対して実行され、
適応調整が、前記サイト送信電力の前記調整量に基づいて、前記ユーザ復調能力の前記調整量に基づいて、前記基地局復調能力の前記調整量に基づいて、及び／又は前記ベアラシステムの前記調整量に基づいて、前記公称電力に対応する干渉閾値に従って、前記干渉閾値に対して実行される、
請求項２に記載の方法。
【請求項８】
前記ユーザ機器ｉの前記アクティブセット内の各アクティブサイトの重みリスト内で１つの加重値を決定し、対応するアクティブサイトが信号を前記Ｍ個のユーザ機器に送信するために使用する重みとして、前記加重値を使用した後、前記方法が、
前記対応するアクティブサイトが、前記決定された加重値を使用することによって、同じ時間に同じ周波数で前記Ｍ個のユーザ機器に信号を送信するように、前記決定された加重値を前記対応するアクティブサイトに送信するステップ、
を含む、請求項１に記載の方法。
【請求項９】
Ｍ個のユーザ機器において、ユーザ機器ｉのアクティブセットＫｉ及び干渉セットＫ’ｉを、前記ユーザ機器ｉからＮ個のサイトまでの電力測定値に従って決定するように構成された第１の決定モジュールであって、前記ユーザ機器ｉの前記アクティブセットＫｉは、所望の信号を前記ユーザ機器ｉに提供するアクティブサイトの識別子ｋｉを含み、前記ユーザ機器ｉの前記干渉セットＫ’ｉは、干渉信号を前記ユーザ機器に提供する干渉サイトの識別子ｋ’ｉを含み、ｋｉ∈Ｋｉ、ｋ’ｉ∈Ｋ’ｉ、ｉ＝１，２，．．．Ｍであり、Ｍは、１以上の整数であり、Ｎは、１以上の整数である、第１の決定モジュールと、
前記第１の決定モジュールによって決定された前記アクティブセット及び前記干渉セットに基づいて、前記ユーザ機器ｉの前記アクティブセットＫｉについて、重みの１つの制約条件を獲得するために、すべてのアクティブサイトｋｉのすべての他のユーザ機器ｊの送信信号の重ね合わせを互いに相殺させ、前記Ｍ個のユーザ機器について、Ｍ個の制約条件を獲得し、重み部分空間Ｔを決定するように構成された第２の決定モジュールであって、前記重み部分空間は、Ｍ個の重みを含み、ｊは、前記Ｍ個のユーザ機器のうちの前記ユーザ機器ｉ以外の別のユーザ機器を表し、ｊ＝１，２，．．．Ｍ、ｊ≠ｉである、第２の決定モジュールと、
各ユーザ機器のアクティブセット内のいずれのアクティブサイトも、１つの加重値を決定し、対応するアクティブサイトが信号を前記Ｍ個のユーザ機器に送信するために使用する重みとして、前記加重値を使用するように、前記第２の決定モジュールによって決定された前記重み部分空間に基づいて、前記ユーザ機器ｉの前記干渉セットＫ’ｉ内での別のユーザ機器ｊの前記ユーザ機器ｉに対する干渉信号、及び前記ユーザ機器ｉの前記アクティブセットＫｉ内でのユーザ機器ｉの所望の信号に従って、前記重み部分空間内で１つの重みを決定するように構成された第３の決定モジュールと、
を備える信号処理装置。
【請求項１０】
前記第１の決定モジュールは、
前記Ｍ個のユーザ機器において、前記ユーザ機器ｉから前記Ｎ個のサイトまでの前記電力測定値に従って、前記ユーザ機器ｉからサイトｋまでの電力測定値が、事前設定されたアクティブ化閾値以上である場合、前記サイトｋを前記ユーザ機器ｉのアクティブサイトｋｉとして決定し、前記サイトｋを前記ユーザ機器ｉの前記アクティブセットＫｉに追加し、ｋ＝１，２，．．．Ｎ、ｋｉ＝１，２，．．．Ｎである、又は
前記ユーザ機器ｉからサイトｋまでの電力測定値が、事前設定されたアクティブ化閾値よりも小さく、事前設定された干渉閾値以上である場合、前記サイトｋを前記ユーザ機器ｉの干渉サイトｋ’ｉとして決定し、前記サイトｋを前記ユーザ機器ｉの前記干渉セットＫ’ｉに追加する、
ように特に構成される、請求項９に記載の装置。
【請求項１１】
前記第２の決定モジュールによって獲得される前記重みの前記制約条件は、
（外１７７）
2017522753.tif 000223
ここで、ｉ＝１，２，．．．Ｍ、ｊ＝１，２，．．．Ｍ、ｊ≠ｉ
であり、
ｉは、前記ユーザ機器ｉの識別子であり、ｋｉは、前記ユーザ機器ｉの前記アクティブセット内のアクティブサイトの識別子であり、
（外１７８）
2017522753.tif 000224
は、前記ユーザ機器ｉから前記アクティブサイトｋｉまでのチャネル測定値であり、
（外１７９）
2017522753.tif 000225
は、１又は０に等しく、前記ユーザ機器ｉの前記アクティブサイトｋｉが、別のユーザ機器ｊのアクティブサイトである場合、
（外１８０）
2017522753.tif 000226
は、１に等しく、前記ユーザ機器ｉの前記アクティブサイトｋｉが、別のユーザ機器ｊのアクティブサイトでない場合、
（外１８１）
2017522753.tif 000227
は、０に等しく、
（外１８２）
2017522753.tif 000228
は、前記ユーザ機器ｊから前記ユーザ機器ｉの前記アクティブサイトｋｉまでの電力測定値であり、
（外１８３）
2017522753.tif 000229
は、１又は０に等しく、前記サイトｋが、前記ユーザ機器ｉのアクティブサイトである場合、
（外１８４）
2017522753.tif 000230
は、１に等しく、前記サイトｋが、前記ユーザ機器ｉのアクティブサイトでない場合、
（外１８５）
2017522753.tif 000231
は、０に等しく、
（外１８６）
2017522753.tif 000232
は、信号を前記別のユーザ機器ｊに送信する場合に、前記ユーザ機器ｉの前記アクティブサイトｋｉによって使用される重みである、
請求項９又は１０に記載の装置。
【請求項１２】
前記第３の決定モジュールは、
前記ユーザ機器ｉの前記干渉セットＫ’ｉ内での前記別のユーザ機器ｊの前記ユーザ機器ｉに対する前記干渉信号を
（外１８７）
2017522753.tif 000233
のように計算し、
前記ユーザ機器ｉの前記アクティブセット内での前記ユーザ機器ｉの前記所望の信号を
（外１８８）
2017522753.tif 000234
のように計算し、
Ｍ個の最大重みの目標値を、ａｒｇｍａｘ｜｜Ｓｉ｜｜２／（｜｜Ｉｉ｜｜２＋Ｎｉ）に従って決定し、前記Ｍ個の最大重みの前記目標値の平均値を計算し、前記平均値を前記アクティブサイトｋｉによって使用される加重値として使用し、Ｎｉは、前記ユーザ機器ｉに対応するノイズである、
ように特に構成される、請求項１１に記載の装置。
【請求項１３】
前記第３の決定モジュールは、
前記ユーザ機器ｉの前記干渉セットＫ’ｉ内での前記別のユーザ機器ｊの前記ユーザ機器ｉに対する前記干渉信号の電力を
（外１８９）
2017522753.tif 000235
のように計算し、
前記ユーザ機器ｉの前記アクティブセット内での前記ユーザ機器ｉの前記所望の信号の電力を
（外１９０）
2017522753.tif 000236
のように計算し、
前記アクティブサイトｋｉの前記重み部分空間内で、Δｉの最小値及びΓｉの最大値に対応する重みを、前記アクティブサイトｋｉによって使用される加重値として使用する、
ように特に構成される、請求項１１に記載の装置。
【請求項１４】
前記第３の決定モジュールは、
前記ユーザ機器ｉの前記干渉セットＫ’ｉ内での前記別のユーザ機器ｊの前記ユーザ機器ｉに対する前記干渉信号の電力を
（外１９１）
2017522753.tif 000237
のように計算し、
前記ユーザ機器ｉの前記アクティブセット内での前記ユーザ機器ｉの前記所望の信号の電力を
（外１９２）
2017522753.tif 000238
のように計算し、
前記重み部分空間内で、前記ユーザ機器ｉの前記干渉信号の前記電力Δｉが増加する方向から相互に直交する１又は複数の方向を除外し、前記ユーザ機器ｉの前記所望の信号の前記電力Γｉが減少する方向から相互に直交する１又は複数の方向を除外し、最後に残った方向に対応する重みを、前記アクティブサイトｋｉによって使用される加重値として使用する、
ように特に構成される、請求項１１に記載の装置。
【請求項１５】
適応調整が、サイト送信電力の調整量に基づいて、ユーザ復調能力の調整量に基づいて、基地局復調能力の調整量に基づいて、及び／又はベアラシステムの調整量に基づいて、公称電力に対応するアクティブ化閾値に従って、前記アクティブ化閾値に対して実行され、
適応調整が、前記サイト送信電力の前記調整量に基づいて、前記ユーザ復調能力の前記調整量に基づいて、前記基地局復調能力の前記調整量に基づいて、及び／又は前記ベアラシステムの前記調整量に基づいて、前記公称電力に対応する干渉閾値に従って、前記干渉閾値に対して実行される、
請求項１０に記載の装置。
【請求項１６】
前記対応するアクティブサイトが、前記決定された加重値を使用することによって、同じ時間に同じ周波数で前記Ｍ個のユーザ機器に信号を送信するように、前記第３の決定モジュールによって決定された前記加重値を前記対応するアクティブサイトに送信するように構成された送信モジュール
をさらに備える、請求項９に記載の装置。
【請求項１７】
信号処理システムであって、データセンタサーバと、Ｎ個のサイトと、Ｍ個のユーザ機器とを備え、Ｍは、１以上の整数であり、Ｎは、１以上の整数であり、
前記データセンタサーバは、請求項９から１６のいずれか一項に記載の信号処理装置であり、
前記Ｍ個のユーザ機器のうちの各ユーザ機器は、前記ユーザ機器から前記Ｎ個のサイトまでのチャネル測定値及び電力測定値を測定し、測定を通して獲得された前記ユーザ機器から前記Ｎ個のサイトまでの前記チャネル測定値及び前記電力測定値を、対応するサイトに送信するように構成され、
前記Ｎ個のサイトのうちの各サイトは、前記サイトから前記Ｍ個のユーザ機器までのチャネル測定値及び電力測定値を検出するように、又は前記Ｍ個のユーザ機器によって送信された前記Ｍ個のユーザ機器から前記サイトまでのチャネル測定値及び電力測定値を別々に受信するように構成され、
前記Ｎ個のサイトのうちの各サイトは、前記データセンタサーバが請求項１から８のいずれか一項に記載の信号処理方法を実行するように、前記サイトから前記Ｍ個のユーザ機器までの前記チャネル測定値及び前記電力測定値を前記データセンタサーバに送信するようにさらに構成される、
信号処理システム。
【請求項１８】
前記データセンタサーバは、前記サイトに対応するユーザ機器スケジューリング情報を決定し、前記サイトに対応する前記ユーザ機器スケジューリング情報に従って、前記ユーザ機器の送信信号のグルーピング、及び前記サイトについての波形合成を実行するようにさらに構成され、
前記データセンタサーバは、前記サイトに対応し、請求項１から８のいずれか一項に記載の信号処理方法を使用することによって獲得された、加重値に従って、ユーザ機器波形の計算、重みの重み付け、及び前記ユーザ機器波形の重み付けを実行するようにさらに構成される、
請求項１７に記載のシステム。
【請求項１９】
前記データセンタサーバは、前記サイトが、対応するサイト波形、ユーザ機器波形、及び加重値に従って、信号を前記ユーザ機器に送信するように、前記合成されたサイト波形、前記計算されたユーザ機器波形、及び前記加重値を、対応するサイトに送信するようにさらに構成され、
前記データセンタサーバは、前記サイトによって送信された前記信号に従ったアップリンク処理、前記ユーザ機器の前記送信信号の前記グルーピング、及び前記ユーザ機器波形の前記の重み付けを実行するようにさらに構成される、
請求項１８に記載のシステム。
【請求項２０】
前記Ｎ個のサイトのうちの各サイトは、前記データセンタサーバによって送信された加重値及びユーザスケジューリング情報に従って、ユーザ機器波形の計算、及び重みの重み付けを実行し、サイト波形の計算を実行し、前記サイト波形、前記ユーザ機器波形、及び前記加重値に従って、信号を前記ユーザ機器に送信するようにさらに構成される、
請求項１７に記載のシステム。
【手続補正２】
【補正対象書類名】明細書
【補正対象項目名】００１０
【補正方法】変更
【補正の内容】
【００１０】
第１の態様の第２の実施方法に基づいて、第５の実施方法では、ユーザ機器ｉの干渉セットＫ’ｉ内での別のユーザ機器ｊのユーザ機器ｉに対する干渉信号、及びユーザ機器ｉのアクティブセットＫｉ内でのユーザ機器ｉの所望の信号に従って、重み部分空間内で１つの重みを決定するステップは、
ユーザ機器ｉの干渉セットＫ’ｉ内での別のユーザ機器ｊのユーザ機器ｉに対する干渉信号の電力を
（外１５）
2017522753.tif 000239
のように計算するステップと、
ユーザ機器ｉのアクティブセット内でのユーザ機器ｉの所望の信号の電力を
（外１６）
2017522753.tif 000240
のように計算するステップと、
重み部分空間内で、ユーザ機器ｉの干渉信号の電力Δｉが増加する方向と相互に直交する１又は複数の方向を除外し、ユーザ機器ｉの所望の信号の電力Γｉが減少する方向から相互に直交する１又は複数の方向を除外し、最後に残った方向に対応する重みを、アクティブサイトｋｉによって使用される加重値として使用するステップと
を含む。
【手続補正３】
【補正対象書類名】明細書
【補正対象項目名】００１８
【補正方法】変更
【補正の内容】
【００１８】
第２の態様の第２の実施方法に基づいて、第５の実施方法では、第３の決定モジュールは、
ユーザ機器ｉの干渉セットＫ’ｉ内での別のユーザ機器ｊのユーザ機器ｉに対する干渉信号の電力を
（外３１）
2017522753.tif 000241
のように計算し、
ユーザ機器ｉのアクティブセット内でのユーザ機器ｉの所望の信号の電力を
（外３２）
2017522753.tif 000242
のように計算し、
重み部分空間内で、ユーザ機器ｉの干渉信号の電力Δｉが増加する方向から相互に直交する１又は複数の方向を除外し、ユーザ機器ｉの所望の信号の電力Γｉが減少する方向から相互に直交する１又は複数の方向を除外し、最後に残った方向に対応する重みを、アクティブサイトｋｉによって使用される加重値として使用する、
ように特に構成される。
【手続補正４】
【補正対象書類名】明細書
【補正対象項目名】００４４
【補正方法】変更
【補正の内容】
【００４４】
本発明の１つの任意選択的な実施方法では、実施中に、ステップ１０３は、
ユーザ機器ｉの干渉セットＫ’ｉ内での別のユーザ機器ｊのユーザ機器ｉに対する干渉信号の電力を
（外４７）
2017522753.tif 000243
のように計算するステップと、
ユーザ機器ｉのアクティブセット内でのユーザ機器ｉの所望の信号の電力を
（外４８）
2017522753.tif 000244
のように計算するステップと、
重み部分空間内で、ユーザ機器ｉの干渉信号の電力Δｉが増加する方向から相互に直交する１又は複数の方向を除外し、ユーザ機器ｉの所望の信号の電力Γｉが減少する方向から相互に直交する１又は複数の方向を除外し、最後に残った方向に対応する重みを、アクティブサイトｋｉによって使用される加重値として使用するステップと、
を含む。
【手続補正５】
【補正対象書類名】明細書
【補正対象項目名】００５１
【補正方法】変更
【補正の内容】
【００５１】
ユーザ機器ｉのアクティブセット内のサイトｋｉについて、チャネル推定に従って、加重値
（外４９）
2017522753.tif 000245
を選択し、アクティブセット関連選択関数
（外５０）
2017522753.tif 000246
を定義し、ここでサイトｋがユーザ機器ｉのアクティブセットに属する場合、
（外５１）
2017522753.tif 000247
であり、サイトｋがユーザ機器ｉのアクティブセットに属さない場合、
（外５２）
2017522753.tif 000248
であり、
干渉セット関連選択関数Ｉｉ，k'iを定義し、ここでサイトｋ’がユーザ機器ｉの干渉セットに属する場合、
（外５３）
2017522753.tif 000249
であり、サイトｋ’がユーザ機器ｉの干渉セットに属さない場合、
（外５４）
2017522753.tif 000250
である
ことが必要である。
【手続補正６】
【補正対象書類名】明細書
【補正対象項目名】００６３
【補正方法】変更
【補正の内容】
【００６３】
上述の式において、第１項ＴｏＡ  ｎｏｒｍａｌは、例えば、公称電力５Ｗに対応する閾値であり、Δｐは、サイト送信電力に基づいた調整量であり、Δｕｓｅｒは、ユーザ復調能力に基づいた調整量であり、ΔＢＳは、基地局復調能力に基づいた調整量であり、Δｓｙｓｔｅｍは、ベアラシステムに基づいた調整量である。
【手続補正７】
【補正対象書類名】明細書
【補正対象項目名】０１１７
【補正方法】変更
【補正の内容】
【０１１７】
任意選択的に、第３の決定モジュール３３は、
ユーザ機器ｉの干渉セットＫ’ｉ内での別のユーザ機器ｊのユーザ機器ｉに対する干渉信号の電力を
（外１５８）
2017522753.tif 000251
のように計算し、
ユーザ機器ｉのアクティブセット内でのユーザ機器ｉの所望の信号の電力を
（外１５９）
2017522753.tif 000252
のように計算し、
重み部分空間内で、ユーザ機器ｉの干渉信号の電力Δｉが増加する方向から相互に直交する１又は複数の方向を除外し、ユーザ機器ｉの所望の信号の電力Γｉが減少する方向から相互に直交する１又は複数の方向を除外し、最後に残った方向に対応する重みを、アクティブサイトｋｉによって使用される加重値として使用する、
ように特に構成される。
【手続補正８】
【補正対象書類名】明細書
【補正対象項目名】０１３９
【補正方法】変更
【補正の内容】
【０１３９】
図６に示されたシステムに存在する上述の問題を解決するために、本発明の実施形態は、高度に集中化された信号処理のためのデータセンタのネットワークシステムアーキテクチャを提供する。図７−１は、本発明の実施形態による高度に集中化された信号処理のためのデータセンタのネットワークシステムアーキテクチャにおけるサイト動作原理の概略図であり、図７−１に示されるように、サイトの機能は、データセンタによって計算されたユーザデータ信号に対するアップコンバージョンを実行し、その後、無線周波数増幅器を使用することによってユーザデータを増幅した後、アンテナを使用することによって信号を送信することである。加えて、サイトは、ユーザ機器によって測定されたチャネル及び電力値をデータセンタに報告することを担う。ユーザ機器によって送信された信号を受信するため、ダウンコンバージョンが実行された後、データ信号が、データセンタに直接的に送られる。動作は、通常、サイト内の無線周波数ユニット、デジタルユニット、クロックユニット、及び送信ユニットによって遂行されることができる。
【国際調査報告】
2017522753.tif 000253
2017522753.tif 000254
2017522753.tif 000255
2017522753.tif 000256